【事件の表示】
　特願２００３−１０３０６１「ヒトアデノウイルスの定量方法並びにそのためのプライマー及びプローブ」拒絶査定不服審判事件〔平成１６年１１月　４日出願公開、特開２００４−３０５０９２〕について、次のとおり審決する。
【結　論】
　本件審判の請求は、成り立たない。
【理　由】
１．手続の経緯・本願発明
　
　本願は，平成１５年４月７日を出願日とするものであって，平成２０年１１月１４日付で拒絶理由が通知され，平成２１年１月２６日付で意見書が提出されたが，同年２月２０日付で拒絶査定がなされ，これに対し，同年４月１日付で拒絶査定に対する審判請求がなされた。そして，平成２３年１２月１２日付で当審において審尋がなされ，回答書が平成２４年２月２０日付，手続補足書が同年２月２３日付で請求人より提出されたものである。
　
　本願発明は，出願当初の明細書及び図面の記載からみて，その特許請求の範囲の請求項１〜８に記載された事項により特定されるとおりのものであるところ，そのうちその請求項１に係る発明（以下，「本願発明１」という。）は以下のとおりである。
　
「【請求項１】　配列表の配列番号１に示される塩基配列のうち，少なくとも第７番目から第２０番目の連続する塩基配列を含む，１４塩基ないし２０塩基の長さの核酸から成るフォワード側プライマーと，配列表の配列番号３に示される塩基配列のうち，少なくとも第６番目から第１９番目の連続する塩基配列を含む，１４塩基ないし２２塩基の長さの核酸から成るリバース側プライマーとを用いてリアルタイム検出ＰＣＲ法によりヒトアデノウイルス遺伝子中の領域を増幅することを含む，試料中のヒトアデノウイルスの定量方法。」
　
２．引用例
　
　これに対して，原査定の拒絶の理由で刊行物１として引用された本願出願日前の２００１年に頒布された刊行物である「臨床とウイルス，２００１，２９（２），ｐ．Ｓ８２」（以下，「引用例１」という。）は，「リアルタイムＰＣＲ法によるアデノウイルスＤＮＡ定量検査の開発」と題する論文であり，以下の事項が記載されている。
　
ア．「プライマーとＴａｑＭａｎプローブは，Ａｄ１，２，３，４，５，６，７，８，１１，１９，２１および３７の各血清型の定量を目的に，ＧｅｎＢａｎｋの情報とダイレクトシークエンス法により決定した塩基配列をもとに，ｈｅｘｏｎ　ｇｅｎｅの保存領域に設計した。・・・スタンダートＤＮＡおよび各血清型による定量値比較のための既知量ＤＮＡは，Ａｄ２（Ｃ亜群），３（Ｂ亜群），４（Ｅ亜群），８（Ｄ亜群），１１（Ｂ亜群）の増幅産物をＴＡクローニングベクターにクローニングし調製した。」（【材料と方法】の欄）
　
イ．「Ａｄ２，３，４，８および１１の既知量ＤＮＡを用い定量した結果，定量値は一致していた。他のＤＮＡウイルスであるＨＢＶ・・・を用い特異性を検討した結果，増幅は認められずＡｄに特異的であった。」（【結果】の欄）
　
ウ．「各血清型を同等に定量可能か，各亜群で比較した結果，Ａｄ１，２，３，４，５，６，７，８，１１，１９，２１および３７のＤＮＡ定量が可能と考えられた。また，特異性，感度，再現性にすぐれ，広い定量レンジを有し，Ａｄ　ＤＮＡ定量にはすぐれた方法と考えられた。」（【考察】の欄）
　
　同じく本願の出願日前の１９９５年１２月１９日に頒布された刊行物である特開平７−３２７７００号公報（以下，「引用例２」という。）には，「アデノウイルスの検出及び鑑別方法並びにそれに用いるオリゴヌクレオチド及びＤＮＡ断片」について以下の事項が記載されている。
　
エ．「【請求項８】（ｉ）アデノウイルスのヘキソンをコードする遺伝子領域内の亜群及び血清型に特異的な塩基配列を持つ該遺伝子領域の１６４５〜２９０７番目の塩基対間の１２６３塩基対の大きさの部分を，該遺伝子領域内の血清型に共通な塩基配列に相補性を有する配列番号１６で示される塩基配列を有するオリゴヌクレオチドを５’末端側のプライマーとして及び配列番号１７で示される塩基配列を有するオリゴヌクレオチドを３’末端側のプライマーとして用いて増幅し，（ｉｉ）該増幅ＤＮＡを検出することを特徴とするアデノウイルスの検出法。」（特許請求の範囲）
　
オ．「【請求項４２】配列番号１４に記載の塩基配列又はアミノ酸配列で示される，アデノウイルス１９型のヘキソンの一部をコードする遺伝子を含むＤＮＡ断片。」（特許請求の範囲）
　
カ．「本発明で用いる，アデノウイルスのヘキソン（ｈｅｘｏｎ）をコードする遺伝子領域（以下これを「ヘキソン領域」と略称することがある）内の血清型に共通な塩基配列に相補性を有するオリゴヌクレオチド（以下これを「血清型共通プライマー」と略称することがある）塩基配列は，既知のアデノウイルスヘキソン領域遺伝子配列に基づいて設計することができる。アデノウイルス遺伝子配列は，通常用いられる遺伝子配列データベース，例えばＤＮＡＳＩＳ−ＤＢ（日立ソフトウエアエンジニアリング社製）を用いて知ることができ，本発明に用いたアデノウイルス２型，５型，４０型及び４１型のヘキソン領域の一部をコードする塩基配列は配列番号１〜５で示される通りであり，それらは下記の文献に開示されている。」（【００２８】〜【００２９】）
　
キ．「実施例１　アデノウイルス標準株のヘキソン領域のＰＣＲ法による増幅及び増幅ＤＮＡの検出
（Ａ）使用微生物
　国立予防衛生研究所において継代培養されている下記１４種類のアデノウイルス標準株を用いて実験を行った。これらのアデノウイルスは，いずれも特異抗血清を用いた中和試験で亜群及び血清型が同定されている標準株である。・・・
（Ｂ）ＤＮＡの抽出
　アデノウイルス１型，２型，３型，４型，５型，６型，７型，８型，１１型，１４型，１９型，３７型，４０型，４１型の各ウイルス培養液を　Ｐｒｏｔｅｉｎａｓｅ　Ｋで処理し・・・アデノウイルスＤＮＡを抽出し・・・ＤＮＡを精製した。
（Ｃ）血清型共通プライマーの設計と合成
　遺伝子塩基配列データベース（ＤＮＡＳＩＳ−ＤＢ；日立ソフトウエアエンジニアリング社製）を用いて既知のアデノウイルスヘキソン領域遺伝子配列〔配列番号１（２型），配列番号２（５型），配列番号３（４０型），配列番号４（４１型）〕を検索・解析し，これらの配列からアデノウイルスヘキソン領域を共通に増幅できるプライマーペアを，配列番号１６（５’末端側），配列番号１７（３’末端側）のように設計した。これらのオリゴヌクレオチドを・・・ＰＣＲのプライマーとして使用した。なお，このプライマーペアを用いて増幅されるＤＮＡは，ヘキソン領域の１６４５〜２９０７番目の塩基対間の１２６３塩基対部分である。
（Ｄ）標的ＤＮＡの増幅（ＰＣＲ法）
　反応液として，・・・上記オリゴヌクレオチド合成プライマー（配列番号１６及び１７；各５０μＭ　）・・・　，前記（Ｂ）項で抽出したアデノウイルスＤＮＡ・・・，およびＴａｑ　ポリメラーゼ・・・に蒸留水を加え・・・調製した。・・・標的ＤＮＡを３５サイクル増幅した。
（Ｅ）ゲル電気泳動法による増幅ＤＮＡの確認
　２．０％のアガロースゲルにエチジウムブロマイドを０．５μｇ／ｍｌ　　加え，上記（Ｃ）項で増幅したＤＮＡの電気泳動を行った。泳動後，２５４ｎｍの紫外線を照射し，エチジウムブロマイドの発色反応によりＤＮＡバンドを検出し，ヘキソン領域の一部に由来する１２６３塩基対の増幅ＤＮＡを確認した。・・・その結果，図１に示すように，用いたアデノウイルス標準株（１４株）の全ての血清型について，１２６３塩基対の標的ＤＮＡバンドが確認された。
実施例２　ヘキソン領域の塩基配列決定
　実施例１で増幅したヘキソン領域ＤＮＡを，常法（略）によりゲルから抽出した。抽出ＤＮＡを・・・平滑末端化処理し，ファージベクター・・・に組み込んだ。・・・それぞれのクローン由来のファージＤＮＡに含まれるアデノウイルスヘキソン領域ＤＮＡの塩基配列を，サンガー法（略）により決定した。その結果を，配列番号６（１型），配列番号７（３型），配列番号８（４型），配列番号９（６型），配列番号１０（７型），配列番号１１（８型），配列番号１２（１１型），配列番号１３（１４型），配列番号１４（１６型），配列番号１５（３７型）に示す。」（【００５２】〜【００６０】）
　
ク．「配列番号：１
配列の長さ：１２６３
配列の型：核酸
鎖の数：二本鎖
トポロジー：直鎖状
配列の種類：Genomic DNA 
起源
　生物名：Mastadenovirus
　株名：２型
配列の特徴
　特徴を表す記号：ＣＤＳ
　存在位置：１−１２６３
他の情報
　ヘキソンをコードする遺伝子領域の１６４５〜２９０７番目の塩基対間の配列
配列
AAT CCC TTT AAC CAC CAC CGC AAT GCG GGC CTC CGT TAT CGC TCC ATG 48
Asn Pro Phe Asn His His Arg Asn Ala Gly Leu Arg Tyr Arg Ser Met 
　
TTG TTG GGA AAC GGC CGC TAC GTG CCC TTT CAC ATT CAG GTG CCC CAA 96
Leu Leu Gly Asn Gly Arg Tyr Val Pro Phe His Ile Gln Val Pro Gln   
　
AAG TTT TTT GCC ATT AAA AAC CTC CTC CTC CTG CCA GGC TCA TAT ACA 144
Lys Phe Phe Ala Ile Lys Asn Leu Leu Leu Leu Pro Gly Ser Tyr Thr 
　
TAT GAA TGG AAC TTC AGG AAG GAT GTT AAC ATG GTT CTG CAG AGC TCT 192 
Tyr Glu Trp Asn Phe Arg Lys Asp Val Asn Met Val Leu Gln Ser Ser 
　
CTG GGA AAC GAT CTT AGA GTT GAC GGG GCT AGC ATT AAG TTT GAC AGC 240 
Leu Gly Asn Asp Leu Arg Val Asp Gly Ala Ser Ile Lys Phe Asp Ser 
　
ATT TGT CTT TAC GCC ACC TTC TTC CCC ATG GCC CAC AAC ACG GCC TCC 288
Ile Cys Leu Tyr Ala Thr Phe Phe Pro Met Ala His Asn Thr Ala Ser 
　
ACG CTG GAA GCC ATG CTC AGA AAT GAC ACC AAC GAC CAG TCC TTT AAT   336 
Thr Leu Glu Ala Met Leu Arg Asn Asp Thr Asn Asp Gln Ser Phe Asn 
　
GAC TAC CTT TCC GCC GCC AAC ATG CTA TAC CCC ATA CCC GCC AAC GCC     384 
Asp Tyr Leu Ser Ala Ala Asn Met Leu Tyr Pro Ile Pro Ala Asn Ala   
　
ACC AAC GTG CCC ATC TCC ATC CCA TCG CGC AAC TGG GCA GCA TTT CGC     432 
Thr Asn Val Pro Ile Ser Ile Pro Ser Arg Asn Trp Ala Ala Phe Arg   
　
GGT TGG GCC TTC ACA CGC TTG AAG ACA AAG GAA ACC CCT TCC CTG GGA     480 
Gly Trp Ala Phe Thr Arg Leu Lys Thr Lys Glu Thr Pro Ser Leu Gly   
　
TCA GGC TAC GAC CCT TAC TAC ACC TAC TCT GGC TCC ATA CCA TAC CTT     528 
Ser Gly Tyr Asp Pro Tyr Tyr Thr Tyr Ser Gly Ser Ile Pro Tyr Leu   
　
GAC GGA ACC TTC TAT CTT AAT CAC ACC TTT AAG AAG GTG GCC ATT ACC     576 
Asp Gly Thr Phe Tyr Leu Asn His Thr Phe Lys Lys Val Ala Ile Thr   
　
TTT GAC TCT TCT GTT AGC TGG CCG GGC AAC GAC CGC CTG CTT ACT CCC     624 
Phe Asp Ser Ser Val Ser Trp Pro Gly Asn Asp Arg Leu Leu Thr Pro   
　
AAT GAG TTT GAG ATT AAA CGC TCA GTT GAC GGG GAG GGC TAC AAC GTA     672 
Asn Glu Phe Glu Ile Lys Arg Ser Val Asp Gly Glu Gly Tyr Asn Val   
　
GCT CAG TGC AAC ATG ACC AAG GAC TGG TTC CTG GTG CAG ATG TTG GCC     720 
Ala Gln Cys Asn Met Thr Lys Asp Trp Phe Leu Val Gln Met Leu Ala   
　
AAC TAC AAT ATT GGC TAC CAG GGC TTC TAC ATT CCA GAA AGC TAC AAG     768 
Asn Tyr Asn Ile Gly Tyr Gln Gly Phe Tyr Ile Pro Glu Ser Tyr Lys   
　
GAC CGC ATG TAC TCG TTC TTC AGA AAC TTC CAG CCC ATG AGC CGG CAA     816 
Asp Arg Met Tyr Ser Phe Phe Arg Asn Phe Gln Pro Met Ser Arg Gln     
　
GTG GTT GAC GAT ACT AAA TAC AAG GAG TAT CAG CAG GTT GGA ATT CTT     864 
Val Val Asp Asp Thr Lys Tyr Lys Glu Tyr Gln Gln Val Gly Ile Leu     
　
CAC CAG CAT AAC AAC TCA GGA TTC GTA GGC TAC CTC GCT CCC ACC ATG     912 
His Gln His Asn Asn Ser Gly Phe Val Gly Tyr Leu Ala Pro Thr Met     
　
CGC GAG GGA CAG GCT TAC CCC GCC AAC GTG CCC TAC CCA CTA ATA GGC     960 
Arg Glu Gly Gln Ala Tyr Pro Ala Asn Val Pro Tyr Pro Leu Ile Gly     
　
AAA ACC GCG GTT GAC AGT ATT ACC CAG AAA AAG TTT CTT TGC GAT CGC 1008 
Lys Thr Ala Val Asp Ser Ile Thr Gln Lys Lys Phe Leu Cys Asp Arg     
　
ACC CTT TGG CGC ATC CCA TTC TCC AGT AAC TTT ATG TCC ATG GGC GCA 1056 
Thr Leu Trp Arg Ile Pro Phe Ser Ser Asn Phe Met Ser Met Gly Ala     
　
CTC ACA GAC CTG GGC CAA AAC CTT CTC TAC GCC AAC TCC GCC CAC GCG 1104 
Leu Thr Asp Leu Gly Gln Asn Leu Leu Tyr Ala Asn Ser Ala His Ala     
　
CTA GAC ATG ACT TTT GAG GTG GAT CCC ATG GAC GAG CCC ACC CTT CTT 1152 
Leu Asp Met Thr Phe Glu Val Asp Pro Met Asp Glu Pro Thr Leu Leu     
　
TAT GTT TTG TTT GAA GTC TTT GAC GTG GTC CGT GTG CAC CAG CCG CAC 1200 
Tyr Val Leu Phe Glu Val Phe Asp Val Val Arg Val His Gln Pro His         
　
CGC GGC GTC ATC GAG ACC GTG TAC CTG CGC ACG CCC TTC TCG GCC GGC 1248 
Arg Gly Val Ile Glu Thr Val Tyr Leu Arg Thr Pro Phe Ser Ala Gly         
　
AAC GCC ACA ACA TAA                                                1263 
Asn Ala Thr Thr *** 　　　　 」（【００７６】）
ケ．「配列番号：２
配列の長さ：１２６３
・・・株名：５型
・・・他の情報
　ヘキソンをコードする遺伝子領域の１６４５〜２９０７番目の塩基対間の配列
配列    
AAC CCA TTT AAC CAC CAC CGC AAT GCT GGC CTG CGC TAC CGC TCA ATG      48 
Asn Pro Phe Asn His His Arg Asn Ala Gly Leu Arg Tyr Arg Ser Met         
　
TTG CTG GGC AAT GGT CGC TAT GTG CCC TTC CAC ATC CAG GTG CCT CAG      96 
Leu Leu Gly Asn Gly Arg Tyr Val Pro Phe His Ile Gln Val Pro Gln         
　
AAG TTC TTT GCC ATT AAA AAC CTC CTT CTC CTG CCG GGC TCA TAC ACC     144 
Lys Phe Phe Ala Ile Lys Asn Leu Leu Leu Leu Pro Gly Ser Tyr Thr         
　
TAC GAG TGG AAC TTC AGG AAG GAT GTT AAC ATG GTT CTG CAG AGC TCC     192 
Tyr Glu Trp Asn Phe Arg Lys Asp Val Asn Met Val Leu Gln Ser Ser         
　
CTA GGA AAT GAC CTA AGG GTT GAC GGA GCC AGC ATT AAG TTT GAT AGC     240 
Leu Gly Asn Asp Leu Arg Val Asp Gly Ala Ser Ile Lys Phe Asp Ser         
　
ATT TGC CTT TAC GCC ACC TTC TTC CCC ATG GCC CAC AAC ACC GCC TCC     288 
Ile Cys Leu Tyr Ala Thr Phe Phe Pro Met Ala His Asn Thr Ala Ser         
　
ACG CTT GAG GCC ATG CTT AGA AAC GAC ACC AAC GAC CAG TCC TTT AAC     336 
Thr Leu Glu Ala Met Leu Arg Asn Asp Thr Asn Asp Gln Ser Phe Asn         
　
GAC TAT CTC TCC GCC GCC AAC ATG CTC TAC CCT ATA CCC GCC AAC GCT     384 
Asp Tyr Leu Ser Ala Ala Asn Met Leu Tyr Pro Ile Pro Ala Asn Ala         
　
ACC AAC GTG CCC ATA TCC ATC CCC TCC CGC AAC TGG GCG GGA AAG CGC     432 
Thr Asn Val Pro Ile Ser Ile Pro Ser Arg Asn Trp Ala Gly Lys Arg         
　
GGC TGG GCC TTC ACG CGC CTT AAG ACT AAG GAA ACC CCA TCA CTG GGC     480 
Gly Trp Ala Phe Thr Arg Leu Lys Thr Lys Glu Thr Pro Ser Leu Gly         
　
TCG GGC TAC GAC CCT TAT TAC ACC TAC TCT GGC TCT ATA CCC TAC CTA     528 
Ser Gly Tyr Asp Pro Tyr Tyr Thr Tyr Ser Gly Ser Ile Pro Tyr Leu         
　
GAT GGA ACC TTT TAC CTC AAC CAC ACC TTT AAG AAG GTG GCC ATT ACC     576 
Asp Gly Thr Phe Tyr Leu Asn His Thr Phe Lys Lys Val Ala Ile Thr         
　
TTT GAC TCT TCT GTC AGC TGG CCT GGC AAT GAC CGC CTG CTT ACC CCC     624 
Phe Asp Ser Ser Val Ser Trp Pro Gly Asn Asp Arg Leu Leu Thr Pro         
　
AAC GAG TTT GAA ATT AAG CGC TCA GTT GAC GGG GAG GGT TAC AAC GTT     672 
Asn Glu Phe Glu Ile Lys Arg Ser Val Asp Gly Glu Gly Tyr Asn Val         
　
GCC CAG TGT AAC ATG ACC AAA GAC TGG TTC CTG GTA CAA ATG CTA GCT     720 
Ala Gln Cys Asn Met Thr Lys Asp Trp Phe Leu Val Gln Met Leu Ala         
　
AAC TAC AAC ATT GGC TAC CAG GGC TTC TAT ATC CCA GAG AGC TAC AAG     768 
Asn Tyr Asn Ile Gly Tyr Gln Gly Phe Tyr Ile Pro Glu Ser Tyr Lys         
　
GAC CGC ATG TAC TCG AAG AAT AGA AAC TTC CAG CCC ATG AGC CGT CAG     816 
Asp Arg Met Tyr Ser Lys Asn Arg Asn Phe Gln Pro Met Ser Arg Gln         
　
GTG GTG GAT GAT ACT AAA TAC AAG GAC TAC CAA CAG GTG GGC ATC CTA     864 
Val Val Asp Asp Thr Lys Tyr Lys Asp Tyr Gln Gln Val Gly Ile Leu         
　
CAC CAA CAC AAC AAC TCT GGA TTT GTT GGC TAC CTT GCC CCC ACC ATG     912 
His Gln His Asn Asn Ser Gly Phe Val Gly Tyr Leu Ala Pro Thr Met         
　
CGC GAA GGA CAG GCC TAC CCT GCT AAC TTC CCC TAT CCG CTT ATA GGC     960 
Arg Glu Gly Gln Ala Tyr Pro Ala Asn Phe Pro Tyr Pro Leu Ile Gly         
　
AAG ACC GCA GTT GAC AGC ATT ACC CAG AAA AAG TTT CTT TGC GAT CGC 1008 
Lys Thr Ala Val Asp Ser Ile Thr Gln Lys Lys Phe Leu Cys Asp Arg         
　
ACC CTT TGG CGC ATC CCA TTC TCC AGT AAC TTT ATG TCC ATG GGC GCA 1056 
Thr Leu Trp Arg Ile Pro Phe Ser Ser Asn Phe Met Ser Met Gly Ala         
　
CTC ACA GAC CTG GGC CAA AAC CTT CTC TAC GCC AAC TCC GCC CAC GCG 1104 
Leu Thr Asp Leu Gly Gln Asn Leu Leu Tyr Ala Asn Ser Ala His Ala         
　
CTA GAC ATG ACT TTT GAG GTG GAT CCC ATG GAC GAG CCC ACC CTT CTT 1152 
Leu Asp Met Thr Phe Glu Val Asp Pro Met Asp Glu Pro Thr Leu Leu         
　
TAT GTT TTG TTT GAA GTC TTT GAC GTG GTC CGT GTG CAC CGG CCG CAC 1200 
Tyr Val Leu Phe Glu Val Phe Asp Val Val Arg Val His Arg Pro His         
　
CGC GGC GTC ATC GAA ACC GTG TAC CTG CGC ACG CCC TTC TCG GCC GGC 1248 
Arg Gly Val Ile Glu Thr Val Tyr Leu Arg Thr Pro Phe Ser Ala Gly         
　
AAC GCC ACA ACA TAA                                                1263 
Asn Ala Thr Thr ***              　　　　 」（【００７７】）
コ．「配列番号：６
配列の長さ：１２６３
・・・株名：１型
・・・他の情報
　ヘキソンをコードする遺伝子領域の１６４５〜２９０７番目の塩基対間の配列
配列
AAT CCC TTT AAC CAC CAC CGC AAT GCG GGC CTA CGC TAC CGC TCC ATG      48 
Asn Pro Phe Asn His His Arg Asn Ala Gly Leu Arg Tyr Arg Ser Met         
　
TTG CTG GGC AAC GGT CGC TAC GTG CCC TTT CAC ATC CAG GTT CCT CAG      96 
Leu Leu Gly Asn Gly Arg Tyr Val Pro Phe His Ile Gln Val Pro Gln         
　
AAG TTT TTT GCC ATT AAG AAC CTC CTA CTC TTG CCG GGC TCA TAC ACC     144 
Lys Phe Phe Ala Ile Lys Asn Leu Leu Leu Leu Pro Gly Ser Tyr Thr         
　
TAC GAG TGG AAC TTC AGG AAA GAT GTT AAC ATG GTC CTG CAA AGC TCC     192 
Tyr Glu Trp Asn Phe Arg Lys Asp Val Asn Met Val Leu Gln Ser Ser         
　
CTA GGA AAC GAC CTA AGA GTT GAC GGA GCC AGC ATT AAG TTT GAC AGC     240 
Leu Gly Asn Asp Leu Arg Val Asp Gly Ala Ser Ile Lys Phe Asp Ser         
　
ATT TGC CTC TAC GCC ACC TTT TTT CCG ATG GCC CAC AAC ACC GCC TCA     288 
Ile Cys Leu Tyr Ala Thr Phe Phe Pro Met Ala His Asn Thr Ala Ser         
　
ACG CTT GAA GCC ATG CTT AGA AAC GAC ACC AAC GAC CAG TCC TTT AAC     336 
Thr Leu Glu Ala Met Leu Arg Asn Asp Thr Asn Asp Gln Ser Phe Asn         
　
GAC TAC CCA TCC GCC GCC AAC ATG CTT TAC CCC ATA CCC GCC AAC GCC     384 
Asp Tyr Pro Ser Ala Ala Asn Met Leu Tyr Pro Ile Pro Ala Asn Ala         
　
ACC AAC GTG CCC ATC TCT ATC CCC TCG CGC AAC TGG GCG GCT TTC CGA     432 
Thr Asn Val Pro Ile Ser Ile Pro Ser Arg Asn Trp Ala Ala Phe Arg         
　
GGC TGG GCC TTT ACG CGC CTT AAG ACT AAG GAA ACC CCA TCC CTG GGT     480 
Gly Trp Ala Phe Thr Arg Leu Lys Thr Lys Glu Thr Pro Ser Leu Gly         
　
TCC GGC TAC GAC CCT TAC TAT ACC TAC TCT GGC TCC ATA CCC TAC CTA     528 
Ser Gly Tyr Asp Pro Tyr Tyr Thr Tyr Ser Gly Ser Ile Pro Tyr Leu         
　
GAC GGA ACC TTT TAC CTT AAT CAC ACC TTC AAA AAG GTA GCC ATC ACC     576 
Asp Gly Thr Phe Tyr Leu Asn His Thr Phe Lys Lys Val Ala Ile Thr         
              
TTT GAC TCT TCT GTT AGC TGG CCT GGC AAT GAC CGT CTG CTT ACC CCC     624 
Phe Asp Ser Ser Val Ser Trp Pro Gly Asn Asp Arg Leu Leu Thr Pro         
　
AAC GAG TTT GAG ATC AAG CGT TCA GTT GAC GGA GAG GGC TAC AAC GTT     672 
Asn Glu Phe Glu Ile Lys Arg Ser Val Asp Gly Glu Gly Tyr Asn Val         
　
GCC CAA TGC AAC ATG ACC AAA GAC TGG TTC TTG GTA CAG ATG CTA GCC     720 
Ala Gln Cys Asn Met Thr Lys Asp Trp Phe Leu Val Gln Met Leu Ala         
　
AAC TAC AAC ATA GGC TAC CAG GGC TTT TAT ATC CCA GAA AGC TAT AAG     768 
Asn Tyr Asn Ile Gly Tyr Gln Gly Phe Tyr Ile Pro Glu Ser Tyr Lys         
　
GAC CGC ATG TAC TCC TTC TTT AGA AAC TTC CAG CCC ATG AGC CGT CAG     816 
Asp Arg Met Tyr Ser Phe Phe Arg Asn Phe Gln Pro Met Ser Arg Gln         
　
GTG GTG GAC GAT ACC AAA TAC AAG GAC TAC CAA CAG GTG GGC ATC CTC     864 
Val Val Asp Asp Thr Lys Tyr Lys Asp Tyr Gln Gln Val Gly Ile Leu         
　
CAC CAG CAC AAT AAC TCT GGC TTT GTT GGT TAC CTC GCT CCC ACC ATG     912 
His Gln His Asn Asn Ser Gly Phe Val Gly Tyr Leu Ala Pro Thr Met         
　
CGA GAG GGA CAG GCC TAC CCC GCC AAC TTC CCC TAC CCG CTT ATA GGC     960 
Arg Glu Gly Gln Ala Tyr Pro Ala Asn Phe Pro Tyr Pro Leu Ile Gly         
　
AAG ACC GCG GTT GAC AGT ATT ACC CAG AAA AAG TTT CTT TGC GAC CGC 1008 
Lys Thr Ala Val Asp Ser Ile Thr Gln Lys Lys Phe Leu Cys Asp Arg         
　
ACC CTT TGG CGC ATT CCA TTC TCC AGT AAC TTT ATG TCC ATG GGT GCA 1056 
Thr Leu Trp Arg Ile Pro Phe Ser Ser Asn Phe Met Ser Met Gly Ala         
　
CTC ACA GAC CTG GGC CAA AAC CTT CTC TAT GCA AAC TCC GCC CAC GCG 1104 
Leu Thr Asp Leu Gly Gln Asn Leu Leu Tyr Ala Asn Ser Ala His Ala         
　
CTA GAT ATG ACT TTT GAG GTG GAT CCC ATG GAC GAG CCC ACC CTT CTT 1152 
Leu Asp Met Thr Phe Glu Val Asp Pro Met Asp Glu Pro Thr Leu Leu         
　
TAT GTT TTG TTT GAA GTC TTT GAC GTG GTC CGT GTG CAC CAG CCG CAC 1200 
Tyr Val Leu Phe Glu Val Phe Asp Val Val Arg Val His Gln Pro His         
　
CGC GGC GTC ATC GAG ACC GTG TAC CTG CGC ACG CCC TTC TCG GCC GGC 1248 
Arg Gly Val Ile Glu Thr Val Tyr Leu Arg Thr Pro Phe Ser Ala Gly         
　
AAC GCT ACN NNN NNN                                                1263 
Asn Ala Thr Xaa Xaa            　　 」　　　（【００８１】）
サ．「配列番号：７
配列の長さ：１２６３
・・・株名：３型
・・・他の情報
　ヘキソンをコードする遺伝子領域の１６４５〜２９０７番目の塩基対間の配列
配列
AAT CCC TTT AAC CAC CAC CGC AAT GTG GTT CTG CGC TAC AGG TCC ATG      48 
Asn Pro Phe Asn His His Arg Asn Val Val Leu Arg Tyr Arg Ser Met         
　
CTT CTG GGA AAT GGT CGT TAT GTG CCT TTC CAC ATA CAA GTG CCT CAG      96 
Leu Leu Gly Asn Gly Arg Tyr Val Pro Phe His Ile Gln Val Pro Gln         
　
AAA TTC TTT GCT GTC AAG AAC CTA CTT CTT CTA CCT GGC TCC TAC ACC     144 
Lys Phe Phe Ala Val Lys Asn Leu Leu Leu Leu Pro Gly Ser Tyr Thr         
　
TAC GAG TGG AGC TTC CGA AAG GAT GTG AAC ATG GTC CTG CAA AGT TCC     192 
Tyr Glu Trp Ser Phe Arg Lys Asp Val Asn Met Val Leu Gln Ser Ser         
　
CTT GGA AAT GAC CTC AGA ACG GAT GGT GCT ACC ATA AGT TTC ACC AGC     240 
Leu Gly Asn Asp Leu Arg Thr Asp Gly Ala Thr Ile Ser Phe Thr Ser         
　
ATC AAT CTC TAT GCC ACC TTC TTC CCC ATG GCT CAC AAC ACA GCT TCC     288 
Ile Asn Leu Tyr Ala Thr Phe Phe Pro Met Ala His Asn Thr Ala Ser         
　
ACC CTT GAA GCC ATG CTG CGC AAC GAT ACC GAT GAT CAG TCA TTT AAC     336 
Thr Leu Glu Ala Met Leu Arg Asn Asp Thr Asp Asp Gln Ser Phe Asn         
　
GAC TAC CTC TCT GCA GCT AAC ATG CTT TAC CCN ATT CCT GCC AAT GCA     384 
Asp Tyr Leu Ser Ala Ala Asn Met Leu Tyr Pro Ile Pro Ala Asn Ala         
　
ACC AAC ATT CCA ATT TCC ATC CCA TCT CGC AAC TGG GCA GCC TTC AGG     432 
Thr Asn Ile Pro Ile Ser Ile Pro Ser Arg Asn Trp Ala Ala Phe Arg         
　
GGC TGG TCC TTC ACC AGA CTC AAA ACC AAG GAG ACT CCA TCT CTT GGA     480 
Gly Trp Ser Phe Thr Arg Leu Lys Thr Lys Glu Thr Pro Ser Leu Gly         
　
TCA GGG TTC GAT CCC TAC TTC GTA TAT TCT GGA TCT ATT CCC TAC CTG     528 
Ser Gly Phe Asp Pro Tyr Phe Val Tyr Ser Gly Ser Ile Pro Tyr Leu         
　
GAT GGC ACC TTT TAC CTT AAC CAC ACT TTC AAG AAG GTC TCC ATC ATG     576 
Asp Gly Thr Phe Tyr Leu Asn His Thr Phe Lys Lys Val Ser Ile Met         
　
TTT GAC TCC TCA GTC AGC TGG CCT GGC AAT GAC AGG CTG TTG AGT CCA     624 
Phe Asp Ser Ser Val Ser Trp Pro Gly Asn Asp Arg Leu Leu Ser Pro         
　
AAT GAG TTT GAA ATC AAG CGC ACT GTG GAC AGG GAA GGA TAC AAC GTG     672 
Asn Glu Phe Glu Ile Lys Arg Thr Val Asp Arg Glu Gly Tyr Asn Val         
　
GCA CAA TGC AAC ATG ACC AAA GAC TGG TTC CTG GTT CAG ATG CTT GCC     720 
Ala Gln Cys Asn Met Thr Lys Asp Trp Phe Leu Val Gln Met Leu Ala         
　
AAT TAC AAC ATT GGC TAC CAG GGC TTC TTA CAT CCC CTG AGA TAC AAG     768 
Asn Tyr Asn Ile Gly Tyr Gln Gly Phe Leu His Pro Leu Arg Tyr Lys         
　
GAT CGC ATG TAC TCC TTT TTC AGA AAC TTC CAG CCT ATG AGC AGG CAG     816 
Asp Arg Met Tyr Ser Phe Phe Arg Asn Phe Gln Pro Met Ser Arg Gln         
　
GTG GTT GAT GAG GTT AAT TAC ACT GAC TAC AAA GCC GTC ACC TTA CCA     864 
Val Val Asp Glu Val Asn Tyr Thr Asp Tyr Lys Ala Val Thr Leu Pro         
　
TAC CAA CAC AAC AAC TCT GGC TTT GTA GGG TAC CTT GCA CCT ACT ATG     912 
Tyr Gln His Asn Asn Ser Gly Phe Val Gly Tyr Leu Ala Pro Thr Met         
　
AGA CAA GGG GAA CCT TAC CCA GCC AAT TAT CCA TAC CCG CTC ATC GGA     960 
Arg Gln Gly Glu Pro Tyr Pro Ala Asn Tyr Pro Tyr Pro Leu Ile Gly         
　
ACT ACT GCC GTT AAG AGT GTC ACC CAG AAA AAG TTC CTG TGC GAC AGG 1008 
Thr Thr Ala Val Lys Ser Val Thr Gln Lys Lys Phe Leu Cys Asp Arg         
　
ACC ATG TGG CGC ATT CCC TTC TCC AGC AAC TTC ATG TCC ATG GGG GCC 1056 
Thr Met Trp Arg Ile Pro Phe Ser Ser Asn Phe Met Ser Met Gly Ala         
　
CTT ACC GAC CTG GGA CAG AAC ATG CTC TAT GCC AAC TCA GCC CAT GCG 1104 
Leu Thr Asp Leu Gly Gln Asn Met Leu Tyr Ala Asn Ser Ala His Ala         
　
CTG GAC ATG ACT TTT GAG GTG GAT CCC ATG GAT GAG CCC ACC CTG CTT 1152 
Leu Asp Met Thr Phe Glu Val Asp Pro Met Asp Glu Pro Thr Leu Leu         
　
TAT CTT CTT TTC GAA GTC TTC GAC GTG GTC AGA GTG CAC CAG CCA CAC 1200 
Tyr Leu Leu Phe Glu Val Phe Asp Val Val Arg Val His Gln Pro His         
　
CGC SSC GTC ATC GAG NGC GTC TAC CTG CGC GCA CCG TTC TCG GCC GGC 1248 
Arg Xxx Val Ile Glu Xxx Val Tyr Leu Arg Ala Pro Phe Ser Ala Gly         
　
AAC GCC ACC ACA TAA                                                1263 
Asn Ala Thr Thr *** 　　　　」（【００８２】）
シ．「配列番号：８
配列の長さ：１２６３
・・・株名：４型
・・・他の情報
　ヘキソンをコードする遺伝子領域の１６４５〜２９０７番目の塩基対間の配列
配列
AAT CCC TTT AAC CAC CAC CGC AAT GCG GCC TTN CGC TAC CGC TCC ATG      48 
Asn Pro Phe Asn His His Arg Asn Ala Ala Xaa Arg Tyr Arg Ser Met         
　
CTC CTG GGC AAC GGG CGC TAC GTG CCA TTC CAC ATC CAG GTG CCC CAG      96 
Leu Leu Gly Asn Gly Arg Tyr Val Pro Phe His Ile Gln Val Pro Gln         
　
AAA TTT TTT GCC ATT AAG AGC CTC CTG CCC CTG CCC GGG TCC TAC ACC     144 
Lys Phe Phe Ala Ile Lys Ser Leu Leu Pro Leu Pro Gly Ser Tyr Thr         
　
TAC GAG TGG AAC TTC CGC AAG GAC GTC AAC ATG ATC CTG CAG AGT TCC     192 
Tyr Glu Trp Asn Phe Arg Lys Asp Val Asn Met Ile Leu Gln Ser Ser         
　
CTT GGC AAC GAC CTG CGC ACA GAC GGG GCC TCC ATC ACT TNC ACC AGC     240 
Leu Gly Asn Asp Leu Arg Thr Asp Gly Ala Ser Ile Thr Xaa Thr Ser         
　
ATT AAC CTC TAC GCC ACC TTC TTC CCN ATG GCG CAC AAC ACC GCC TCC     288 
Ile Asn Leu Tyr Ala Thr Phe Phe Pro Met Ala His Asn Thr Ala Ser         
　
ACG CTT GTG GCC ATG CTG CGC AAC GAC ACC AAT GAC CAA TCC TTC AAC     336 
Thr Leu Val Ala Met Leu Arg Asn Asp Thr Asn Asp Gln Ser Phe Asn         
　
GAC TAC CTC TCG GCG GNN AAC ATG CTC TAT CCC ATC CCG SCC AAC SCC     384 
Asp Tyr Leu Ser Ala Xaa Asn Met Leu Tyr Pro Ile Pro Xaa Asn Xaa         
　
ACC AAC GTG CCC ATT NCC ATG CCC TCG CGC AAC TGG GCC GCA TTT CGC     432 
Thr Asn Val Pro Ile Xaa Met Pro Ser Arg Asn Trp Ala Ala Phe Arg         
　
GNN TGG TCC TTC ACG CGA CTC AAG ACC AAA GAG ACG CCC TCG CTG GGC     480 
Xaa Trp Ser Phe Thr Arg Leu Lys Thr Lys Glu Thr Pro Ser Leu Gly         
　
TCC GGG TTC GAC CCC TAC TTC GTC TAC TCG GGC TCC ATC CCC TAC CTC     528 
Ser Gly Phe Asp Pro Tyr Phe Val Tyr Ser Gly Ser Ile Pro Tyr Leu         
　
GAC GGC ACC TTT TAC CTC AAC CAC ACC TTC AAG AAG GTC TCC ATC ACC     576 
Asp Gly Thr Phe Tyr Leu Asn His Thr Phe Lys Lys Val Ser Ile Thr         
　
TTC GAC TCT TCC GTC AGC TGG CCN GGC AAC GAC CGN NTC CTG ACG TCA     624 
Phe Asp Ser Ser Val Ser Trp Pro Gly Asn Asp Arg Xaa Leu Thr Ser         
　
GAC GAG TTC GAA ATC AAG CGC ACC GTC GAC GNC NAG GGA TAC AAC NTG     672 
Asp Glu Phe Glu Ile Lys Arg Thr Val Asp Xaa Xaa Gly Tyr Asn Xaa         
　
GCC CAG TGC AAC ATG ACC AAG GAC TGG TNN CTG GTN CAG ATG CTG GCN     720 
Ala Gln Cys Asn Met Thr Lys Asp Trp Xaa Leu Val Gln Met Leu Ala         
　
NAC TAC AAC ATC GGC TAC CAG GGC TTC TAC STG CCC GAG GCG TAC AAG     768 
Xaa Tyr Asn Ile Gly Tyr Gln Gly Phe Tyr Xaa Pro Glu Ala Tyr Lys         
　
GAC CGC ATG TAC TCC TTC TTC CGC AAC TTC CAG CCC ATG AGC CGC CAG     816 
Asp Arg Met Tyr Ser Phe Phe Arg Asn Phe Gln Pro Met Ser Arg Gln         
　
GTG GTG GAC GAG GTT AAC TAC AAG GAC TAC CAG GCC GTC ACC CTG GCC     864 
Val Val Asp Glu Val Asn Tyr Lys Asp Tyr Gln Ala Val Thr Leu Ala         
　
TAC CAA CAC AAC AAC TCG GGC TTC GTT GGA TAC CTC GCG CCC ACT ATG     912 
Tyr Gln His Asn Asn Ser Gly Phe Val Gly Tyr Leu Ala Pro Thr Met         
　
CGC CAG GGC CAG CCC TAC CCC GCC AAC TAC CCC TAC CCG CTC ATC GGC     960 
Arg Gln Gly Gln Pro Tyr Pro Ala Asn Tyr Pro Tyr Pro Leu Ile Gly         
　
AAG AGC GCC GTT ACC AGC GTC ACC CAG AAA AAG TTC ATC TGC GAC AGG 1008 
Lys Ser Ala Val Thr Ser Val Thr Gln Lys Lys Phe Ile Cys Asp Arg         
　
GTC ATG TGG CGG ATC CCC TTC TCC AGC AAC TTC ATG TCC ATG GGC GCG 1056 
Val Met Trp Arg Ile Pro Phe Ser Ser Asn Phe Met Ser Met Gly Ala         
　
CTC ACC GAC CTC GGC CAG AAC ATG CTC TAT GCT AAC TCC GCC CAC GCG 1104 
Leu Thr Asp Leu Gly Gln Asn Met Leu Tyr Ala Asn Ser Ala His Ala         
　
CTA GAC ATG AAT TTC GAA GTC GAC CCC ATG GAT GAG TCC ACC CTT CTC 1152 
Leu Asp Met Asn Phe Glu Val Asp Pro Met Asp Glu Ser Thr Leu Leu         
　
TAT GTT GTC TTC GAA GTC TTC GAC GTC GTC CGA GTG CAC CAG CCC CAC 1200 
Tyr Val Val Phe Glu Val Phe Asp Val Val Arg Val His Gln Pro His         
　
CGC GGC GTC ATT GAG GCC GTC TAC CTG CGC ACC CCC TTC TCG GCC GGC 1248 
Arg Gly Val Ile Glu Ala Val Tyr Leu Arg Thr Pro Phe Ser Ala Gly         
　
AAC GCT ACN NNN NNN                                                1263 
Asn Ala Thr Xaa Xaa 　　　　　」（【００８３】）
ス．「配列番号：９
配列の長さ：１２６３
・・・株名：６型
・・・他の情報
　ヘキソンをコードする遺伝子領域の１６４５〜２９０７番目の塩基対間の配列
配列
AAT CCC TTT AAC CAC CAC CGC AAT GCG GCC CTG CGT TAC CGC TCC ATG      48 
Asn Pro Phe Asn His His Arg Asn Ala Ala Leu Arg Tyr Arg Ser Met         
　
TTG TTG GGA AAC GGC CGC TAC GTG CCC TTT CAC ATT CAG GTG CCC CAA      96 
Leu Leu Gly Asn Gly Arg Tyr Val Pro Phe His Ile Gln Val Pro Gln         
　
AAG TTT TTT GCC ATT AAA AAC CTC CTC CTC CTG CCA GGC TCA TAC ACA     144 
Lys Phe Phe Ala Ile Lys Asn Leu Leu Leu Leu Pro Gly Ser Tyr Thr         
　
TAT GAA TGG AAC TTC AGG AAG GAT GTT AAC ATG GTT CTG CAG AGC TCT     192 
Tyr Glu Trp Asn Phe Arg Lys Asp Val Asn Met Val Leu Gln Ser Ser         
　
CTG GGA AAC GAC CTT AGA GTT GAC GGG GCT AGC ATT AAG TTT GAC AGC     240 
Leu Gly Asn Asp Leu Arg Val Asp Gly Ala Ser Ile Lys Phe Asp Ser         
　
ATT TGT CTT TAC GCC ACC TTC TTC CCC ATG GCC CAC AAC ACG GCC TCC     288 
Ile Cys Leu Tyr Ala Thr Phe Phe Pro Met Ala His Asn Thr Ala Ser         
　
ACG CTG GAA GCC ATG CTC AGA AAT GAC ACC AAC GAC CAG TCC TTT AAT     336 
Thr Leu Glu Ala Met Leu Arg Asn Asp Thr Asn Asp Gln Ser Phe Asn         
　
GAC TAC CTT TCC GCC GCC AAC GTG CTA TAT CCC ATA CCC GCC AAC GCC     384 
Asp Tyr Leu Ser Ala Ala Asn Val Leu Tyr Pro Ile Pro Ala Asn Ala         
　
ACC AAC GTG CCC ATC TCC ATC CCA TCG CGC AAC TGG GCA GCA TTT CGC     432 
Thr Asn Val Pro Ile Ser Ile Pro Ser Arg Asn Trp Ala Ala Phe Arg         
　
GGT TGG GCC TTC ACA CGC TTG AAG ACA AAG GAA ACC CCT TCC CTG GGA     480 
Gly Trp Ala Phe Thr Arg Leu Lys Thr Lys Glu Thr Pro Ser Leu Gly         
　
TCA GGC TAC GAC CCT TAC TAC ACC TAC TCT GGC TCC ATA CCA TAC CTT     528 
Ser Gly Tyr Asp Pro Tyr Tyr Thr Tyr Ser Gly Ser Ile Pro Tyr Leu         
　
GAC GGA ACC TTC TAT CTT AAT CAC ACC TTT AAG AAG GTG GCC ATT ACT     576 
Asp Gly Thr Phe Tyr Leu Asn His Thr Phe Lys Lys Val Ala Ile Thr         
　
TTT GAC TCT TCT GTT AGC TGG CCG GGC AAC GAC CGC CTG CTT ACT CCC     624 
Phe Asp Ser Ser Val Ser Trp Pro Gly Asn Asp Arg Leu Leu Thr Pro         
　
AAT GAG TTT GAG ATT AAG CGC TCA GTT GAC GGG GAG GGC TAT AAC GTA     672 
Asn Glu Phe Glu Ile Lys Arg Ser Val Asp Gly Glu Gly Tyr Asn Val         
　
GCT CAG TGC AAC ATG ACA AAG GAC TGG TTC CTA GTG CAG ATG TTG GCC     720 
Ala Gln Cys Asn Met Thr Lys Asp Trp Phe Leu Val Gln Met Leu Ala         
　
AAC TAC AAT ATT GGC TAC CAG GGC TTC TAC ATT CCA GAA AGC TAC AAA     768 
Asn Tyr Asn Ile Gly Tyr Gln Gly Phe Tyr Ile Pro Glu Ser Tyr Lys         
　
GAC CGC ATG TAC TCG TTC TTC AGA AAC TTC CAG CCC ATG AGC CGG CAA     816 
Asp Arg Met Tyr Ser Phe Phe Arg Asn Phe Gln Pro Met Ser Arg Gln         
　
GTG GTG GAC GAT ACT AAA TAC AAA GAT TAT CAG CAG GTT GGA ATT ATC     864 
Val Val Asp Asp Thr Lys Tyr Lys Asp Tyr Gln Gln Val Gly Ile Ile         
　
CAC CAG CAT AAC AAC TCA GGC TTC GTA GGC TAC CTC GCT CCC ACC ATG     912 
His Gln His Asn Asn Ser Gly Phe Val Gly Tyr Leu Ala Pro Thr Met         
　
CGC GAG GGA CAA GCT TAC CCC GCT AAT GTT CCC TAC CCA CTA ATA GGC     960 
Arg Glu Gly Gln Ala Tyr Pro Ala Asn Val Pro Tyr Pro Leu Ile Gly         
　
AAA ACC GCG GTT GAT AGT ATT ACC CAG AAA AAG TTT CTT TGC GAC CGC 1008 
Lys Thr Ala Val Asp Ser Ile Thr Gln Lys Lys Phe Leu Cys Asp Arg         
　
ACC CTG TGG CGC ATC CCC TTC TCC AGT AAC TTT ATG TCC ATG GGT GCG 1056 
Thr Leu Trp Arg Ile Pro Phe Ser Ser Asn Phe Met Ser Met Gly Ala         
　
CTC ACA GAC CTG GGC CAA AAC CTT CTC TAC GCA AAC TCC GCC CAC GCG 1104 
Leu Thr Asp Leu Gly Gln Asn Leu Leu Tyr Ala Asn Ser Ala His Ala         
　
CTA GAC ATG ACC TTT GAG GTG GAT CCC ATG GAC GAG CCC ACC CTT CTT 1152 
Leu Asp Met Thr Phe Glu Val Asp Pro Met Asp Glu Pro Thr Leu Leu         
　
TAT GTT TTG TTT GAA GTC TTT GAC GTG GTC CGT GTG CAC CAG CCG CAC 1200 
Tyr Val Leu Phe Glu Val Phe Asp Val Val Arg Val His Gln Pro His         
　
CGC GGC GTC ATC GAG ACC GTG TAC CTG CGC ACG CCC TTC TCG GCC GGC 1248 
Arg Gly Val Ile Glu Thr Val Tyr Leu Arg Thr Pro Phe Ser Ala Gly         
　
AAC GCT ACN NNN NNN                                                1263 
Asn Ala Thr Xaa Xaa 　　　　」（【００８４】）
セ．「配列番号：１０
配列の長さ：１２６３
・・・株名：７型
・・・他の情報
　ヘキソンをコードする遺伝子領域の１６４５〜２９０７番目の塩基対間の配列
配列
AAT CCC TTT AAC CAC CAC CGC AAT GCT GGT CTG CGC TAC CGG TCC ATG      48 
Asn Pro Phe Asn His His Arg Asn Ala Gly Leu Arg Tyr Arg Ser Met         
　
CTT CTG GGC AAT GGT CGT TAT GTG CCT TTC CAC ATA CAA GTG CCT CAA      96 
Leu Leu Gly Asn Gly Arg Tyr Val Pro Phe His Ile Gln Val Pro Gln         
　
AAA TTC TTT GCT GTC AAG AAC CTA CTT CTT CTA CCT GGC TCC TAC ACC     144 
Lys Phe Phe Ala Val Lys Asn Leu Leu Leu Leu Pro Gly Ser Tyr Thr         
　
TAT GAG TGG AAC TTC AGA AAG GAT GTG AAC ATG GTC CTG CAA AGT TCC     192 
Tyr Glu Trp Asn Phe Arg Lys Asp Val Asn Met Val Leu Gln Ser Ser         
　
CTT GGA AAT GAC CTC AGA ACA GAT GGT GCT ACC ATA AGT TTC ACC AGC     240 
Leu Gly Asn Asp Leu Arg Thr Asp Gly Ala Thr Ile Ser Phe Thr Ser         
　
ATC AAT CTG TAT GCC ACC TTC TTC CCC ATG GCT CAC AAC ACA GCT TCC     288 
Ile Asn Leu Tyr Ala Thr Phe Phe Pro Met Ala His Asn Thr Ala Ser         
　
ACC CTT GAA GCC ATG CTG CGC AAC GAT ACC AAT GAT CAG TCA TTC AAC     336 
Thr Leu Glu Ala Met Leu Arg Asn Asp Thr Asn Asp Gln Ser Phe Asn         
　
GAC TAC CTC TCT GCA GCT AAC ATG CTT TAC CCC ATC CCT GCC AAT GCA     384 
Asp Tyr Leu Ser Ala Ala Asn Met Leu Tyr Pro Ile Pro Ala Asn Ala         
　
ACC AAC ATT CCA ATT TCC ATC CCA TCT CGC AAC TGG GCA GCC TTC AGG     432 
Thr Asn Ile Pro Ile Ser Ile Pro Ser Arg Asn Trp Ala Ala Phe Arg         
　
GGC TGG TCC TTC ACT AGG CTC AAA ACC AAG GAG ACT CCA TCT CTT GGA     480 
Gly Trp Ser Phe Thr Arg Leu Lys Thr Lys Glu Thr Pro Ser Leu Gly         
　
TCA GGG TTC GAT CCC TAC TTN GTA TAT TCT GGA TCT ATT CCN TAC CTG     528 
Ser Gly Phe Asp Pro Tyr Xaa Val Tyr Ser Gly Ser Ile Xaa Tyr Leu         
　
GAT GGC ACC TTT TAC CTT AAC CAC ACT TTC AAG AAG GTC TCC ATN ATG     576 
Asp Gly Thr Phe Tyr Leu Asn His Thr Phe Lys Lys Val Ser Xaa Met         
　
TTT GNC TCC TCA GTC AGC TGG CCT GGC AAT GAC AGG CTC TTG AGC CCA     624 
Phe Xaa Ser Ser Val Ser Trp Pro Gly Asn Asp Arg Leu Leu Ser Pro         
　
AAT GAG TTT GAA ATC AAG CGC ACT GTG GAC GGG GAA GGG TAC AAT GTG     672 
Asn Glu Phe Glu Ile Lys Arg Thr Val Asp Gly Glu Gly Tyr Asn Val         
　
GCC CAA TGT AAC ATG ACC AAA GAC TGG TTC CTG GTT CAG ATG CTT GCC     720 
Ala Gln Cys Asn Met Thr Lys Asp Trp Phe Leu Val Gln Met Leu Ala         
　
AAC TAC AAC ATT GGC TAC CAG GGC TTT TAC ATC CCT GAG GGA TAC AAG     768 
Asn Tyr Asn Ile Gly Tyr Gln Gly Phe Tyr Ile Pro Glu Gly Tyr Lys         
　
GAT CGC ATG TAC TCC TTT TTC AGA AAC TTC CAG CCT ATG AGC AGG CAG     816 
Asp Arg Met Tyr Ser Phe Phe Arg Asn Phe Gln Pro Met Ser Arg Gln         
　
GTG GTT GAT GAG GTT AAT TAC ACT GAC TAC AAA GCC GTC ACC TTA CCA     864 
Val Val Asp Glu Val Asn Tyr Thr Asp Tyr Lys Ala Val Thr Leu Pro         
　
TAC CAA CAC AAC AAC TCT GGC TTT GTA GGG TAT CTT GCA CCT ACT ATG     912 
Tyr Gln His Asn Asn Ser Gly Phe Val Gly Tyr Leu Ala Pro Thr Met         
　
AGA CAA GGG GAA CCT TAC CCA GCC AAT TAT CCA TAC CCG CTC ATC GGA     960 
Arg Gln Gly Glu Pro Tyr Pro Ala Asn Tyr Pro Tyr Pro Leu Ile Gly         
　
ACT ACT GCC GTT AAG AGT GTC ACC CAG AAA AAG TTC CTG TGT GAC AGG 1008 
Thr Thr Ala Val Lys Ser Val Thr Gln Lys Lys Phe Leu Cys Asp Arg         
　
ACC ATG TGG CGC ATT CCC TTC TCC AGC AAC TTC ATG TCC ATG GGG GCC 1056 
Thr Met Trp Arg Ile Pro Phe Ser Ser Asn Phe Met Ser Met Gly Ala         
　
NTT ACC GAC CTG GGA CAG AAC ATG CTC TAT GCC AAC TCA GCC CAT GCG 1104 
Xaa Thr Asp Leu Gly Gln Asn Met Leu Tyr Ala Asn Ser Ala His Ala         
　
NTG GAC ATG ACT TTN GAG GTG GAT CCN ATG GAT GAG CCN ACC NTG CTT 1152 
Xaa Asp Met Thr Xaa Glu Val Asp Xaa Met Asp Glu Xaa Thr Xaa Leu         
　
TAT CTT CTT TTC GAA GTC TTC GAC GTG GTC AGA GTG CAC CAG CCA CAC 1200 
Tyr Leu Leu Phe Glu Val Phe Asp Val Val Arg Val His Gln Pro His         
　
CGC GGC GTC ATC GAG GCC GTC TAC CTG CGC ACA CCG TTC TCG GCC GGC 1248 
Arg Gly Val Ile Glu Ala Val Tyr Leu Arg Thr Pro Phe Ser Ala Gly         
　
AAC GCT ACN NNN NNN                                                1263 
Asn Ala Thr Xaa Xaa 　　　　　　　」（【００８５】）
ソ．「配列番号：１１
配列の長さ：１２６３
・・・株名：８型
・・・他の情報
　ヘキソンをコードする遺伝子領域の１６４５〜２９０７番目の塩基対間の配列
配列
AAT CCN TTT AAT CAC CAT CGC AAT GCG GCN CTG CGC TAC CGC TCC ATG      48 
Asn Pro Phe Asn His His Arg Asn Ala Xaa Leu Arg Tyr Arg Ser Met         
　
CTG CTG GGC AAC GGG CGC TAC GTG CCC TTC CAT ATT CAA GTG CCC CAA      96 
Leu Leu Gly Asn Gly Arg Tyr Val Pro Phe His Ile Gln Val Pro Gln         
　
AAG TTT TTT GCC ATT AAG AAC CTG CTT CTG CTC CCG GGC TCC TAC ACC     144 
Lys Phe Phe Ala Ile Lys Asn Leu Leu Leu Leu Pro Gly Ser Tyr Thr         
　
TAC GAG TGG AAN TTC CGC AAG GAT GTT AAC ATG ATT CTG CAG AGT TCC     192 
Tyr Glu Trp Xaa Phe Arg Lys Asp Val Asn Met Ile Leu Gln Ser Ser         
　
CTT GGC AAC GAC CTG CGC ACA GAC GGG GCN TCA TCA CGC TTC ACC AGC     240 
Leu Gly Asn Asp Leu Arg Thr Asp Gly Ala Ser Ser Arg Phe Thr Ser         
　
ATT AAC NTC TAC GCN ACC TTC TTC CCN ATG GCG CAC AAC ACN GCC TCN     288 
Ile Asn Xaa Tyr Ala Thr Phe Phe Pro Met Ala His Asn Thr Ala Ser         
　
ACG CTT GAG GCN ATG CTG CGC AAC GAC ACN NAT GAC CAA TCN TTA ANC     336 
Thr Leu Glu Ala Met Leu Arg Asn Asp Thr Xaa Asp Gln Ser Leu Xaa         
　
GAC TAN CTN TCG GCG GCN AAC ATG TTA TCA TCC GGC CAA CGC ACA ACC     384 
Asp Xaa Leu Ser Ala Ala Asn Met Leu Ser Ser Gly Gln Arg Thr Thr         
　
ACC AAC GTG CCC ATT TCC ATC CCC TCG CGC AAC TGG NCC GCC TTT CGC     432 
Thr Asn Val Pro Ile Ser Ile Pro Ser Arg Asn Trp Xaa Ala Phe Arg         
　
CGG TGG AGT TTC ACC CGC CTA AAA ACC AAG GAA ACT CCC TCC CTC GGC     480 
Arg Trp Ser Phe Thr Arg Leu Lys Thr Lys Glu Thr Pro Ser Leu Gly         
　
TCG GGT TTT GAC CCC TAC TTT GTT TAC TCG GGC ACC ATC CCC TAC CTC     528 
Ser Gly Phe Asp Pro Tyr Phe Val Tyr Ser Gly Thr Ile Pro Tyr Leu         
　
GAC GGG ACC TTC TAC CTG AAC CAC ACC TTT AAG AAG GTC TCC ATC ATG     576 
Asp Gly Thr Phe Tyr Leu Asn His Thr Phe Lys Lys Val Ser Ile Met         
　
TTC GAC TCC TCG GTT AGC TGG CCN GGC AAC GAC AGG CTG CTT ACG CCG     624 
Phe Asp Ser Ser Val Ser Trp Pro Gly Asn Asp Arg Leu Leu Thr Pro         
　
AAC GAG TTT GAA ATT AAG CGC NCN GNC GAC NGG GAG GGC TAT AAC GTG     672 
Asn Glu Phe Glu Ile Lys Arg Xaa Xaa Asp Xaa Glu Gly Tyr Asn Val         
　
GCC CAA TGC AAC ATG ACC AAG GAC TGG TTC CTG GTN CAG ATG CTT TCC     720 
Ala Gln Cys Asn Met Thr Lys Asp Trp Phe Leu Val Gln Met Leu Ser         
　
CAC TAC AAC ATT GGC TAC CAG GGC TTC CAT GTG CCT GAG GGC TAC AAG     768 
His Tyr Asn Ile Gly Tyr Gln Gly Phe His Val Pro Glu Gly Tyr Lys         
　
GAC CGC ATG TAC TCC TTC TTT CGC AAC TTC CAG CCC ATG AGT AGG CAG     816 
Asp Arg Met Tyr Ser Phe Phe Arg Asn Phe Gln Pro Met Ser Arg Gln         
　
GTG GTC GAT GAG ATT AAC TAC AAG GAT TAC AAG GCC GTT GCC CTT CCC     864 
Val Val Asp Glu Ile Asn Tyr Lys Asp Tyr Lys Ala Val Ala Leu Pro         
　
TTC NAG CAC AAC AAC TTG GGC TTA CCG GTC TAC CTT GCA CCT ACC TTG     912 
Phe Xaa His Asn Asn Leu Gly Leu Pro Val Tyr Leu Ala Pro Thr Leu         
　
CGC CAG GGA CAG CCC TAC CCC GCC AAC TTA CCC TAC CCG CTT ATC GGC     960 
Arg Gln Gly Gln Pro Tyr Pro Ala Asn Leu Pro Tyr Pro Leu Ile Gly         
　
AAG AGC GCC GTT ACC AGC GTC ACC CAG AAA AAG TTC ATC TGC GAC AGG 1008 
Lys Ser Ala Val Thr Ser Val Thr Gln Lys Lys Phe Ile Cys Asp Arg         
　
GTC ATG TGG CGC ATC CCC TTC TCC AGC AAC TTC ATG TCC ATG GGC GCC 1056 
Val Met Trp Arg Ile Pro Phe Ser Ser Asn Phe Met Ser Met Gly Ala         
　
CTC ACC GAC CTC GGC CAG AAC ATG CTC TAT GCT AAC TCC GCC CAC GCG 1104 
Leu Thr Asp Leu Gly Gln Asn Met Leu Tyr Ala Asn Ser Ala His Ala         
　
CTA GAC ATG AAT TTN GAA GTC GAC CCC ATG GAT GAG TCC ACC CTT CTC 1152 
Leu Asp Met Asn Xaa Glu Val Asp Pro Met Asp Glu Ser Thr Leu Leu         
　
TAT GTT GTC TTN GAA GTC TTC GAC GTC GTC NGA GTG CAC CAG CCC CAC 1200 
Tyr Val Val Xaa Glu Val Phe Asp Val Val Xaa Val His Gln Pro His         
　
CGC GGC GTC ATC GAG GCC GTC TAC CTG CGC ACG CCC TTC TCG GCC GGC 1248 
Arg Gly Val Ile Glu Ala Val Tyr Leu Arg Thr Pro Phe Ser Ala Gly         
　
AAC GCT ACN NNN NNN                                                1263 
Asn Ala Thr Xaa Xaa 　　　　　」（【００８６】）
タ．「配列番号：１２
配列の長さ：１２６３
・・・株名：１１型
・・・他の情報
　ヘキソンをコードする遺伝子領域の１６４５〜２９０７番目の塩基対間の配列
配列
AAT CCC TTT AAC CAC CAC CGT AAC CTG GCT TGG CGT TAC CGA TCC ATG      48 
Asn Pro Phe Asn His His Arg Asn Leu Ala Trp Arg Tyr Arg Ser Met         
　
CTT TTG GGT AAC GGA CGT TAT GTG CCT TTC CAC ATA CAA GTG CCT CAA      96 
Leu Leu Gly Asn Gly Arg Tyr Val Pro Phe His Ile Gln Val Pro Gln         
　
AAA TTC TTC GCT GTC AAA AAC CTG CTG CTT CTN CCA GGC TCC TAC ACT     144 
Lys Phe Phe Ala Val Lys Asn Leu Leu Leu Leu Pro Gly Ser Tyr Thr         
　
TAT GAG TGG AAC TTT AGG AAG GAT GTG AAC ATG GTC CTA CAG AGT NCC     192 
Tyr Glu Trp Asn Phe Arg Lys Asp Val Asn Met Val Leu Gln Ser Xxx         
　
CTC GGT AAC GAC CTN GCG GTA GAT GGC GCC ACG ATC AGT TTC ACG AGC     240 
Leu Gly Asn Asp Leu Ala Val Asp Gly Ala Thr Ile Ser Phe Thr Ser         
　
ATC AAC CTC TAT GCT ACT TTT TTC CCC ATG GCT CAC AAC ACC GCT TCC     288 
Ile Asn Leu Tyr Ala Thr Phe Phe Pro Met Ala His Asn Thr Ala Ser         
　
ACC CTT GAA GCC ATG CTG CGG AAT GAC ACC AAT GAT CAG TCA TTC AAC     336 
Thr Leu Glu Ala Met Leu Arg Asn Asp Thr Asn Asp Gln Ser Phe Asn         
　
GAC TAC CTA TCT GCA GCT AAC ATG CTC TAC CCC ATT CCT GCC AAT GCA     384 
Asp Tyr Leu Ser Ala Ala Asn Met Leu Tyr Pro Ile Pro Ala Asn Ala         
　
ACC AAT ATT CCC ATT TCC ATT CCT TCT CGC AAC TGG GCG GCT TTC AGA     432 
Thr Asn Ile Pro Ile Ser Ile Pro Ser Arg Asn Trp Ala Ala Phe Arg         
　
GGC TGG TCA TTT ACC AGA CTG AAA ACC AAA GAA ACT CCC TCT TTG GGG     480 
Gly Trp Ser Phe Thr Arg Leu Lys Thr Lys Glu Thr Pro Ser Leu Gly         
　
TCT GGA TTT GAC CCC TAC TTT GTC TAT TCT GGT TCT ATT CCC TAC CTG     528 
Ser Gly Phe Asp Pro Tyr Phe Val Tyr Ser Gly Ser Ile Pro Tyr Leu         
　
GAT GCT ACC TTC TAC CTG AAC CAC ACT TTT AAG AAG GTC TCC ATC ATG     576 
Asp Ala Thr Phe Tyr Leu Asn His Thr Phe Lys Lys Val Ser Ile Met         
　
TTC CAC TCC TCA GTC AGC TGG CCT GGA AAT GAC AGG CTA CTA ACT CCT     624 
Phe His Ser Ser Val Ser Trp Pro Gly Asn Asp Arg Leu Leu Thr Pro         
　
AAC GAA TTT GAA ATA AAG CGC ACT GTG GAT GGC GAA GGC TAC AAC GTA     672 
Asn Glu Phe Glu Ile Lys Arg Thr Val Asp Gly Glu Gly Tyr Asn Val         
　
GCN CAA TGC AAC ATG ANC AAG GAC TGG TTC NTG GTA CAG ATG CTC TCC     720 
Xaa Gln Cys Asn Met Xaa Lys Asp Trp Phe Xaa Val Gln Met Leu Ser         
　
AAC TAC ANC ATC GGC TAC NAG GGC TTC TNA CAT TCA GAA NGA TAC AAG     768 
Asn Tyr Xaa Ile Gly Tyr Xaa Gly Phe Xaa His Ser Glu Xaa Tyr Lys         
　
NAC CGC ATG TAT ACA TTT TTC AGA AAC TTC CAG CCC ATG AGC AGG CAG     816 
Xaa Arg Met Tyr Thr Phe Phe Arg Asn Phe Gln Pro Met Ser Arg Gln         
　
GTG GTT GAT GAG GTC AAT TAC AAA GAC TTC AAA GCC GTC GCC ATA CCC     864 
Val Val Asp Glu Val Asn Tyr Lys Asp Phe Lys Ala Val Ala Ile Pro         
　
TAC CAA CAC AAC AAC TCT GGC TTT GTG GGT TAC ATG GCT CCG ACC ATG     912 
Tyr Gln His Asn Asn Ser Gly Phe Val Gly Tyr Met Ala Pro Thr Met         
　
CGC CAA GGT CAA CCC TAT CCC GCT AAC TAT CCC TAT CCA CTC ATT GGA     960 
Arg Gln Gly Gln Pro Tyr Pro Ala Asn Tyr Pro Tyr Pro Leu Ile Gly         
　
ACA ACT GCC GTA AAT AGT GTT ACG CAG AAA AAG TTC TTG TGT GAC AGA 1008 
Thr Thr Ala Val Asn Ser Val Thr Gln Lys Lys Phe Leu Cys Asp Arg         
　
ACC ATG TGG CGC ATA CCG TTC TCG AGC AAC TTC ATG TCT ATG GGG GCC 1056 
Thr Met Trp Arg Ile Pro Phe Ser Ser Asn Phe Met Ser Met Gly Ala         
　
CTT ACA GAC TTG GGA CAG AAT ATG CTC TAT GCC AAC TCA GCT CAT GCT 1104 
Leu Thr Asp Leu Gly Gln Asn Met Leu Tyr Ala Asn Ser Ala His Ala         
　
CTG GAC ATG ACC TTT GAG GTG GAT CCC ATG GAT GAG CCC ACC CTG CTT 1152 
Leu Asp Met Thr Phe Glu Val Asp Pro Met Asp Glu Pro Thr Leu Leu         
　
TAT CTT CTC TTC GAA GTT TTC GAC GTG GTC AGA GTG CAC CAG CCA CAC 1200 
Tyr Leu Leu Phe Glu Val Phe Asp Val Val Arg Val His Gln Pro His         
　
CGC GGC ATC ATC GAG GCA GTC TAC CTG CGT ACA CCG TTC TCG GCC GGC 1248 
Arg Gly Ile Ile Glu Ala Val Tyr Leu Arg Thr Pro Phe Ser Ala Gly         
　
AAC GCT ACN NNN NNN                                                1263 
Asn Ala Thr Xaa Xaa 　　　　」（【００８７】）
チ．「配列番号：１４
配列の長さ：１２６３
・・・株名：１９型
・・・他の情報
　ヘキソンをコードする遺伝子領域の１６４５〜２９０７番目の塩基対間の配列
配列
NAT CCA TTT AAN NAN NAC NNN AAN GCT GGC CTA GGC TAN NGC TCC ATG      48 
Xaa Pro Phe Xaa Xaa Xaa Xaa Xaa Ala Gly Leu Gly Xaa Xaa Ser Met         
　
CTC CTG GGC AAC GGC NGC TAC GTG CCC TTC CAC ACC CAA GTG NNN NAA      96 
Leu Leu Gly Asn Gly Xaa Tyr Val Pro Phe His Thr Gln Val Xaa Xaa         
　
AAG TTC TTT GCC ATC AAG AAC CTG CTC CTG CTC CCC GGC TCC TAC ACC     144 
Lys Phe Phe Ala Ile Lys Asn Leu Leu Leu Leu Pro Gly Ser Tyr Thr         
　
TAC GAG TGG AAC TTC CGC AAG GAT GTC AAC ATG ATC CTG CAG AGT TCC     192 
Tyr Glu Trp Asn Phe Arg Lys Asp Val Asn Met Ile Leu Gln Ser Ser         
　
CTC GGA AAC GAC CTG CGC GTT GAC GGG NCC TCC GTG CGC TTC GAC AGC     240 
Leu Gly Asn Asp Leu Arg Val Asp Gly Xaa Ser Val Arg Phe Asp Ser         
　
GTT AAC CTC TAC GCA NCA TTC TTC CCC ATG GCG CAC AAC ACC GCC TCC     288 
Val Asn Leu Tyr Ala Xaa Phe Phe Pro Met Ala His Asn Thr Ala Ser         
　
ACC CTG GAA GCC ATC GTG CGC AAC GAC ACC AAC GAC CAG TCC TTC AAC     336 
Thr Leu Glu Ala Ile Val Arg Asn Asp Thr Asn Asp Gln Ser Phe Asn         
　
GAC TAC CTC TCG GCC GCC AAC ATG CTC TAC CCC ATC CCG GCC AAG GCC     384 
Asp Tyr Leu Ser Ala Ala Asn Met Leu Tyr Pro Ile Pro Ala Lys Ala         
　
ACC AAC GTG CCC ATT TCC ATC CCC TCG CGA AAT TGG GCG GCG TTT NNN     432 
Thr Asn Val Pro Ile Ser Ile Pro Ser Arg Asn Trp Ala Ala Phe Xaa         
　
AGG TGG AGT TTT ANN NGG CTA ANG NNN GAA GAA ANT CCN TCC CTT GGT     480 
Arg Trp Ser Phe Xaa Xaa Leu Xaa Xaa Glu Glu Xaa Pro Ser Leu Gly         
　
TCG GGT TTC CCT CCC TAC TTG ANA TAC TTG GGC TCT ATC CCC TAT CTC     528 
Ser Gly Phe Pro Pro Tyr Leu Xxx Tyr Leu Gly Ser Ile Pro Tyr Leu         
　
GAN GGG ACC TTC TAC CTC AAC CAC ACC TTC AAG AAG GTC TCC ATC ATG     576 
Xaa Gly Thr Phe Tyr Leu Asn His Thr Phe Lys Lys Val Ser Ile Met         
　
TTC GAC TCC TCG GTC AGC TGG CCC GGC AAC GAC CGG CTC GTC ACG CCG     624 
Phe Asp Ser Ser Val Ser Trp Pro Gly Asn Asp Arg Leu Val Thr Pro         
　
AAC GAG TTC GAG ATC AAG CGC AGC GTC GAC GGG GAG GGC TAC AAT GTG     672 
Asn Glu Phe Glu Ile Lys Arg Ser Val Asp Gly Glu Gly Tyr Asn Val         
　
GCC CAA TGC AAC ATG ACC AAG GAC TGG TTC CTC GTC CAG ATG CTC TCC     720 
Ala Gln Cys Asn Met Thr Lys Asp Trp Phe Leu Val Gln Met Leu Ser         
　
TAC TAC AAC ATC GGC TAC CAG GGC TTC CAT GTC GCC GTA GGG TAC AAG     768 
Tyr Tyr Asn Ile Gly Tyr Gln Gly Phe His Val Ala Val Gly Tyr Lys         
　
GAT CGC ATG TAC TCC TTC TTC CGC AAC TTC CAG CCC ATG AGC AGG CAG     816 
Asp Arg Met Tyr Ser Phe Phe Arg Asn Phe Gln Pro Met Ser Arg Gln         
　
GTG GTC GAT GAG ATC AAC TAC AAG GAC TAC AAG GCC GTC ACC CTG CCC     864 
Val Val Asp Glu Ile Asn Tyr Lys Asp Tyr Lys Ala Val Thr Leu Pro         
　
TTC CAG CAC AAC AAC TCG GGC TTC ACC GGC TAC CTA GCA CCC ACC ATG     912 
Phe Gln His Asn Asn Ser Gly Phe Thr Gly Tyr Leu Ala Pro Thr Met         
　
CGT CAG GGG CAG CCC TAC CCC GCC AAC TTC CCC TAC CCG CTC ATT GGC     960 
Arg Gln Gly Gln Pro Tyr Pro Ala Asn Phe Pro Tyr Pro Leu Ile Gly         
　
TAC ACC GCA GTG CCC TCC GTC ACC CAG AAA AAG TTC CTC TGC GAC AGG 1008 
Tyr Thr Ala Val Pro Ser Val Thr Gln Lys Lys Phe Leu Cys Asp Arg         
　
GTC ATG TGG CGC ATC CCC TTC TCC AGC AAC TTT ATG TCC ATG GGC GCC 1056 
Val Met Trp Arg Ile Pro Phe Ser Ser Asn Phe Met Ser Met Gly Ala         
　
CTC ACC GAC CTG GGT CAG AAC ATG CTC TAC GCC AAC TCG GCC CAC GCG 1104 
Leu Thr Asp Leu Gly Gln Asn Met Leu Tyr Ala Asn Ser Ala His Ala         
　
CTC GAC ATG ACC TTC GAG GTG GAC CCC ATG GAT GAG CCC ACC CTC CTC 1152 
Leu Asp Met Thr Phe Glu Val Asp Pro Met Asp Glu Pro Thr Leu Leu         
　
TAT CTT CTC TTC GAA GTT TTC GAC GTG GTC ANA GTG CAC CAN CGG CAC 1200 
Tyr Leu Leu Phe Glu Val Phe Asp Val Val Xaa Val His Xaa Arg His         
　
CGC GGC GTC ATC GAG GCC GTC TAC CTG CGC ACG CCC TTC TCG GCC GGC 1248 
Arg Gly Val Ile Glu Ala Val Tyr Leu Arg Thr Pro Phe Ser Ala Gly         
　
AAC GCT ACN NNN NNN                                                1263 
Asn Ala Thr Xaa Xaa 　　　　」（【００８９】）
ツ．「配列番号：１５
配列の長さ：１２６３
・・・株名：３７型
・・・他の情報
　ヘキソンをコードする遺伝子領域の１６４５〜２９０７番目の塩基対間の配列
配列
AAT CCC TTT AAC CAC CAC CGC AAT GCG GCC CTG CGC TAC CGC TCC ATG      48 
Asn Pro Phe Asn His His Arg Asn Ala Ala Leu Arg Tyr Arg Ser Met         
　
CTT TTG GGC AAT GGC CGC TAC GTG CCC TTC CAC ATC CAA GTG CCC CAA      96 
Leu Leu Gly Asn Gly Arg Tyr Val Pro Phe His Ile Gln Val Pro Gln         
　
AAG TTC TTT GCC ATC AAG AAC CTG CTC CTG CTC CCC GGC TCC TAC ACC     144 
Lys Phe Phe Ala Ile Lys Asn Leu Leu Leu Leu Pro Gly Ser Tyr Thr         
　
TAC GAG TGG AAC TTC GCA ACG NAT GTA AAC ATG ATC CTG CAG AGT TCC     192 
Tyr Glu Trp Asn Phe Ala Thr Xxx Val Asn Met Ile Leu Gln Ser Ser         
　
NTC GGA AAC GAC CTG CGC GTC GAC GGC GCC TCN GTG CGC TTC GAC AGC     240 
Xaa Gly Asn Asp Leu Arg Val Asp Gly Ala Ser Val Arg Phe Asp Ser         
　
GTC AAC CTC TAC NCC ACC TTC TTC CNN NTG GCG CAC ANC ACN GNN TCC     288 
Val Asn Leu Tyr Xaa Thr Phe Phe Xaa Xaa Ala His Xaa Thr Xaa Ser         
　
NCC NTG GAG NCN ATG CTG CGC AAC GAC ACN NAC GAC NAG TCN TTN CAC     336 
Xaa Xaa Glu Xaa Met Leu Arg Asn Asp Thr Xaa Asp Xaa Ser Xaa His         
　
GNC TNN CTC TCN GCN GCN AAC ATG CTC TAC CCC ATC CCG GCC AAG GCC     384 
Xaa Xaa Leu Ser Ala Ala Asn Met Leu Tyr Pro Ile Pro Ala Lys Ala         
　
ACC AAC GTG CCC ATT TCC ATC CCC TCG CGC AAC TGG GCC GCC TTC CGC     432 
Thr Asn Val Pro Ile Ser Ile Pro Ser Arg Asn Trp Ala Ala Phe Arg         
　
CGG TGG AGT TTC ACC CGG CTC AAG ACC AAG GAA ACT CCC TCC CTT GGC     480 
Arg Trp Ser Phe Thr Arg Leu Lys Thr Lys Glu Thr Pro Ser Leu Gly         
　
TCG GGT TTT GAC CCC TAC TTT GTC TAC TCG GGC TCC ATC CCC TAC CTC     528 
Ser Gly Phe Asp Pro Tyr Phe Val Tyr Ser Gly Ser Ile Pro Tyr Leu         
　
GAC GGG ACC TTC TAC CTC AAC CAC ACC TTC AAG AAG GTT TCC ATC ATG     576 
Asp Gly Thr Phe Tyr Leu Asn His Thr Phe Lys Lys Val Ser Ile Met         
　
TTC GAC TCC TNG GTC AGC TGG CCT GGC AAC GAC NGG CTG CTT ACG CCG     624 
Phe Asp Ser Xaa Val Ser Trp Pro Gly Asn Asp Xaa Leu Leu Thr Pro         
　
AAC GAG TTN GAG ATC AAG CGC ANN GTC GAC GGG GAG GGT NAC AAC GTG     672 
Asn Glu Xaa Glu Ile Lys Arg Xaa Val Asp Gly Glu Gly Xaa Asn Val         
　
GCC NAA TGC AAC ATG ACC AAG GAC TGG TTC CTG NTN CAG ATG NTN TCC     720 
Ala Xaa Cys Asn Met Thr Lys Asp Trp Phe Leu Xaa Gln Met Xaa Ser         
　
ANC TAC AAC ATN GGC TAC NAG GGC TTC CAT GTG CCC GAG GCG TAC AAG     768 
Xaa Tyr Asn Xaa Gly Tyr Xaa Gly Phe His Val Pro Glu Ala Tyr Lys         
　
GAC CGC ATG TAC TCC TTC TTC CGC AAC TTC CAG CCC ATG AGC AGG CAG     816 
Asp Arg Met Tyr Ser Phe Phe Arg Asn Phe Gln Pro Met Ser Arg Gln         
　
GTG GTC GAT GAG ATC AAC TAC AAG GAC TAC AAG GCA GTC ACC CTG CCC     864 
Val Val Asp Glu Ile Asn Tyr Lys Asp Tyr Lys Ala Val Thr Leu Pro         
　
TTC CAG CAC AAC AAC TCT GGC TTC ACC GGC TAC CTG GCA CCC ACC ATG     912 
Phe Gln His Asn Asn Ser Gly Phe Thr Gly Tyr Leu Ala Pro Thr Met         
　
CGT CAG GGG CAG CCC TAC CCC GCC AAC TTC CCC TAC CCG CTC ATC GGC     960 
Arg Gln Gly Gln Pro Tyr Pro Ala Asn Phe Pro Tyr Pro Leu Ile Gly         
　
TCC ACC GCA GTG CCA TCC GTC ACC CAG AAA AAG TTC CTC TGC GAC AGG 1008 
Ser Thr Ala Val Pro Ser Val Thr Gln Lys Lys Phe Leu Cys Asp Arg         
　
GTC ATG TGG CGC ATC CCC TTC TCC AGC AAC TTC ATG SCC ATG GGC GCC 1056 
Val Met Trp Arg Ile Pro Phe Ser Ser Asn Phe Met Xaa Met Gly Ala         
　
CTC ACC GAC CTG GGT CAG AAC ATG CTC TAC GCC AAC TCG GCC CAC GCG 1104 
Leu Thr Asp Leu Gly Gln Asn Met Leu Tyr Ala Asn Ser Ala His Ala         
　
CTC GAC ATG ACC TTC GAG GTG GAT CCC ATG GAT GAG CCN ACC NTN NTN 1152 
Leu Asp Met Thr Phe Glu Val Asp Pro Met Asp Glu Pro Thr Xaa Xaa         
　
TAT CTT CTC TTC GAA GTT TTC GAC GTG GTC AGA GTG CAC CAG CCG CAC 1200 
Tyr Leu Leu Phe Glu Val Phe Asp Val Val Arg Val His Gln Pro His         
　
CCC GGN NAC ATC GAG GCC GTC TAC CTG CGC ACC CCC TTC TCG GCC GGC 1248 
Pro Gly Xaa Ile Glu Ala Val Tyr Leu Arg Thr Pro Phe Ser Ala Gly         
　
AAC GCT ANN NNN NNN                                                1263 
Asn Ala Xaa Xaa Xaa       　　　　」（【００９０】）
(ただし，配列中のアミノ酸配列の位置についての数字は省略)
　
　ここで，引用例１には，リアルタイムＰＣＲ法によるアデノウイルスＤＮＡの定量法について，アデノウイルスの血清型１，２，３，４，５，６，７，８，１１，１９，２１および３７の各血清型の定量を目的に，ＧｅｎＢａｎｋの情報とダイレクトシークエンス法により決定した塩基配列をもとに，ヘキソン遺伝子の保存領域にプライマーを設計したことが記載されており，ＴａｑＭａｎプローブを用いて増幅産物を検出するリアルタイムＰＣＲ法を用いているから，上記プライマーはフォワード側プライマーとリバース側プライマーを含むものであると認める。
　
３．対比・判断
（１）対比
　本願発明１と引用例１に記載された事項を比較すると，リアルタイムＰＣＲ法によるアデノウイルスＤＮＡの定量法を開発するという課題が共通しており，両者は，フォワード側プライマーと，リバース側プライマーとを用いてリアルタイム検出ＰＣＲ法によりヒトアデノウイルス遺伝子中の領域を増幅することを含む，試料中のヒトアデノウイルスの定量方法である点で一致し，本願発明１においては，フォワード側プライマーとリバース側プライマーが，それぞれ，配列表の配列番号１に示される塩基配列のうち，少なくとも第７番目から第２０番目の連続する塩基配列を含む，１４塩基ないし２０塩基の長さの核酸から成るプライマー，及び，配列表の配列番号３に示される塩基配列のうち，少なくとも第６番目から第１９番目の連続する塩基配列を含む，１４塩基ないし２２塩基の長さの核酸から成るプライマーであるのに対し，引用例１には上記特定の配列をプライマーとして用いることは記載されていない点で相違する。
　
（２）当審における判断
　上記相違点について検討する。　　
　引用例２には，公知の配列（記載事項カ参照），及び，記載事項キに記載された方法で配列決定された配列として，アデノウイルスの１，２，３，４，５，６，７，８，１１，１９および３７の各血清型のヘキソンをコードする遺伝子領域内の亜群及び血清型に特異的な塩基配列を持つ該遺伝子領域の１６４５〜２９０７番目の塩基対間の１２６３塩基対の部分の配列が開示されている（記載事項ク〜ツ）。
　また，上記１２６３塩基対の部分からなる領域は，アデノウイルスの血清型の鑑別を行うために増幅された領域ではあるものの，記載事項キにあるように，アデノウイルスの１，２，３，４，５，６，７，８，１１，１９および３７の各血清型の遺伝子を精製し，ヘキソン遺伝子の部分領域の配列を決定していることから，引用例２において得られた該部分領域の配列をもとに各血清型のヘキソン遺伝子の全長配列を決定することも周知技術を適用して適宜なし得たことであった。
　よって，引用例１において，Ａｄ１，２，３，４，５，６，７，８，１１，１９，２１および３７の各血清型の定量を目的に，ヘキソン遺伝子の保存領域にプライマーを設計するにあたり，ＧｅｎＢａｎｋの情報とダイレクトシークエンス法により決定した塩基配列をもとにするかわりに，引用例２に記載された塩基配列あるいは引用例２に記載された部分配列をもとに決定し得た全長ヘキソン遺伝子の配列をもとにして，上記血清型において保存された領域を選択することは当業者が容易に想到し得たことである。そして，各配列を比較して保存領域を決定する手段は本願出願前の周知技術であるから保存された配列の決定にあたり格別の困難性もなく，該保存領域の配列をもとに各血清型に共通するプライマーを作成する際，工夫を行ったものでもない。
　しかも，本願発明１における配列番号１及び３は，例えば引用例２に記載された各型の配列中の１１２９番目から１１４８番目，及び１２０８番目から１２２９番目に対応する配列であるから，引用例２に記載された配列をもとに保存された領域を選択しても決定し得たものであり，引用例２に記載された各血清型の該当部分の配列は本願発明１の配列と完全に一致しているわけではないが，保存領域を選択することを妨げるものではない。
　さらに，引用例２には，アデノウイルスの血清型２１の配列は記載されていないが，本願明細書の段落【０００８】にも記載されたように，ＧｅｎＢａｎｋにおいてＡｃｃｅｓｓｉｏｎ　Ｎｏ．ＡＹ００８２７９としてすでに本願出願前に公知であるから，保存領域の決定にあたり必要に応じて該配列も選択し得たものである。たとえ選択しなかったとしても，アデノウイルスの血清型２１のうちのプライマーとして選択された部分の配列はアデノウイルス血清型１９と一致しており，結果からみれば血清型２１の配列の有無により選択する配列が変化したものともいえない。
　
　そして，プライマーの長さはＰＣＲの精度や効率を考慮して通常決定し得たものであり，配列表の配列番号１に示される塩基配列のうちから少なくとも第７番目から第２０番目の連続する塩基配列を含む，１４塩基ないし２０塩基の長さから成る核酸をフォワードプライマーとし，配列表の配列番号３に示される塩基配列のうち，少なくとも第６番目から第１９番目の連続する塩基配列を含む，１４塩基ないし２２塩基の長さから成る核酸をリバースプライマーとしたことによる効果について，血清型間で保存された領域からプライマーを選択すれば，ＰＣＲによる増幅が，異なる血清型においても同様の効率で行われ，増幅曲線の傾きが一致したものとなることは当業者が予想できることであり，他の保存領域をプライマーとして選択した場合には傾きが異なるのに対し，本願発明１の特定のプライマーのみが増幅曲線の傾きを同一にできたことを示す具体的データはないので，本願発明１の効果が当業者が予測できない顕著な効果であるとはいえない。
　
（３）小括
　したがって，本願発明１は引用例１及び２の記載ならびに上記周知技術に基づいて当業者が容易に発明することができたものであるから，特許法第２９条第２項の規定により特許を受けることができない。
　
４．審判請求人の主張について
　
　平成２１年１月２６日付意見書において，審判請求人は，以下の主張をしている。
　　
（１）引用文献１（引用例１に相当）には「ヘキソン遺伝子の保存領域がどこか，プライマーとプローブをどの領域に設定したか，それらの塩基配列等の具体的な情報は一切記載されていない。」
（２）引用文献２（引用例２に相当）には，「本発明で用いるプライマー自体は全く記載も示唆もされていない。引用文献２に記載される各血清型共通のプライマーとは，単に各血清型から同じ領域の増幅断片が得られるだけのものであり，同一の条件でＰＣＲ反応を行った場合に増幅曲線の傾きを同一にできるかどうかは不明である。・・・そもそも，引用文献２の方法はリアルタイムＰＣＲによるものではない。引用文献２には，「ＰＣＲ増幅曲線が異なる場合，血清型別それぞれに検量線用スタンダードコントロールを準備する必要とともに，リアルタイム検出ＰＣＲ実施まえに血清型が判明している必要があり，煩雑となってしまう」という問題点も，「単一の操作で，単一の検量線用スタンダードコントロールを用いてリアルタイム検出ＰＣＲ法により代表的な各種血清型のヒトアデノウイルスを定量する」という本発明も目的も，全く記載も示唆もされていない。」
（３）「引用文献１には本発明の概要が示されている。ヘキソン遺伝子の保存領域中にプライマーとプローブを設計した旨も明記されている。しかしながら，ヘキソン遺伝子領域とは，非常に長大なアデノウイルスゲノム上で，かなりの広範囲を占める領域である。引用文献１には単にヘキソン遺伝子の保存領域としか示されておらず，長大なヘキソン遺伝子領域のいずれの領域かは示されていない。引用文献１から本願発明を完成しようとした場合，（ｉ）臨床上重要な血清型のアデノウイルスゲノム配列情報を取得する（配列未知の血清型については配列を決定しなければならない），（ｉｉ）長大なヘキソン遺伝子領域を解析し，保存領域を見出す，（ｉｉｉ）保存領域内にプライマーを設計する，（ｉｖ）設計したプライマーのあらゆる組み合わせについて，実際にＰＣＲを行ない，増幅曲線を調べる，という膨大な作業が必要になる。・・・長大なヘキソン遺伝子領域中に，血清型共通プライマーの候補領域は多数見つかる可能性がある。本発明のプライマーは，単に共通に増幅可能なだけでは不十分であり，その増幅曲線の傾きが一致する必要がある。そのため，候補のプライマーを設計したら，その全てについて，実際にＰＣＲを行ない，増幅曲線の傾きが一致するか否か確認する必要がある。」
（４）「引用文献２記載の方法はリアルタイムＰＣＲによるものではない。リアルタイムＰＣＲを用いたアデノウイルスの臨床検査において，PCR増幅曲線が異なる場合には血清型別それぞれに検量線用スタンダードコントロールを準備しなければならず煩雑であるという問題点も，単一の検量線用スタンダードコントロールを用いた定量を可能にするという本発明の目的も，引用文献２には全く記載も示唆もされていない。・・・引用文献２には，血清型共通プライマーとして，１，２，３，４，５，６，７，８，１１，１４，１９，３７型のヘキソン領域を増幅可能なプライマー（配列番号１８及び１９）が開示されている。しかし，これらのプライマーは，本発明で用いられるプライマーと相違している。・・・さらに，引用文献２では，このプライマーセットは２段階PCRの第２段階目で用いられている。２段階目では1263bpの増幅断片が鋳型となるのであるから，その特異性は非常に限定された領域のみで示されていることになる。このプライマーセットを本発明のプライマーセットに代えて本発明の方法に用いた場合，本発明の方法ではウイルスのゲノムDNA全長を含む試料を鋳型としてPCRが行なわれるため，増幅曲線が同一になるどころか，適切な増幅すら起こらない可能性がある。従って，本発明のプライマーは，引用文献２に記載のプライマーよりも効果が高く，リアルタイムＰＣＲでの定量用プライマーとして優れたものであるといえる。」
（５）「上記した引用文献２の配列番号１８及び１９の血清型共通プライマーは，本願に匹敵する多数の血清型に由来する１２６３ｂｐの領域を解析して得られたものであるが，上記したように本発明で用いられるプライマーと相違している。フォワード側（５’末端側）プライマーにいたっては，引用文献２のプライマー設定領域が２５３〜２７２ｎｔである一方，本発明では１１３２〜１１４８ｎｔであり，かけ離れた領域に設定されている。また，上記したように，この引用文献２のプライマーは，ウイルスゲノムＤＮＡを直接鋳型として用いた場合には所望の特異性を発揮できない，ということが示唆される。特許出願明細書において，実施例に記載される具体例は，通常，最も効果の高い具体例である。プライマーであれば，最も好ましい特異性及び増幅効率を示す具体例であると当業者には理解される。本願と同等数の多数の血清型についてこの領域を解析して構築した最良のプライマーは，ゲノムを鋳型としたＰＣＲでも利用できるほど特異性が高くない，という引用文献２の教示は，さらにこの領域を検討してより効果的なプライマーを構築しようとすることにつき，大きな技術的阻害要因となるものである。従って，引用文献１に記載のヘキソン遺伝子保存領域として，引用文献２記載の１２６３ｂｐの領域に着目することは，当業者には極めて困難である。」
　
　また，平成２１年７月１日付の審判請求書の手続補正書において，さらに以下の主張をしている。
（６）「審査官殿は，「本出願前の技術常識を参酌すると，リアルタイムＰＣＲにおいて，鋳型となるＤＮＡの塩基配列が同一でなくとも，増幅領域の配列同一性が十分高ければ，同一プライマーによるＰＣＲの増幅効率は大きく変わらず，それぞれの鋳型について単一の検量線を用いることができる蓋然性が高い」と述べられている。しかしながら，この点に関し，審査官殿は何の証拠も提示していない。審査官殿が参酌した技術常識がいかなるものか，本願出願前の公知文献等を例示し，「増幅領域の配列同一性が十分高い場合，同一プライマーを使用すれば，それぞれの鋳型について単一の検量線を用いることができる」のが通常であるという点を論証すべきである。証明がない以上，審査官殿が単に個人的な想像ないしは思い込みで述べているだけという危険性が払拭できない。」
（７）「ｎｅｓｔｅｄ　ｐｒｉｍｅｒを用いた２段階ＰＣＲが一般に非特異増幅を抑えて所望の領域を的確に増幅するために用いられる技術であることはこの分野の常識であり，教科書レベルの書籍にも記載されている事項である。・・・２段階ＰＣＲではＰＣＲの工程が一つ増えて手間が倍になるのだから，必要がなければわざわざやるはずはない。２段階ＰＣＲを行なった理由が記載されていないということは，その理由の解釈は当該分野における一般的認識に委ねられる。すなわち，当業者であれば，引用文献２で２段階ＰＣＲを行なった理由は，引用文献２に記載のプライマーがゲノムを鋳型としたＰＣＲで標的領域のみを増幅できるほど特異性が高くないためである，と理解するのが自然であり，これが引用文献２の教示である。審査官殿は，この点を譲歩したとしても，「先の引用文献１の記載に接した当業者は，先の引用文献２に記載されたアデノウイルスの各血清型のゲノム配列を利用し，リアルタイムＰＣＲに適したプライマー又はプローブを設計できると認められる」と述べているが，上記したように審査官殿は出願人の主張の一部を全く検討せず完全に無視しているので，引用文献１及び２を組み合わせることの困難性についても正確に理解できていないものと思われる。」
　
　（１）の主張について，引用例１にはヘキソン遺伝子の保存領域の具体的情報はないが，配列情報として，同じアデノウイルスの血清型のヘキソン配列について記載された引用例２に開示された各配列をもとに保存領域を決定することは，３（２）の欄において記載したように当業者であれば通常行い得たことである。
　
　（２），（４），（５）及び（７）の主張は，引用例２には本願発明１の課題や特定の配列が記載されていないという主張及び引用例２に記載された領域がＰＣＲを行う際の特異性が高くないことを示すものであるから引用例１と組み合わせられないという旨の主張である。しかし，引用例２は，アデノウイルスの各血清型のヘキソン配列自体を示すための引用例に過ぎないので上記主張は参酌できない。
　
　（３）の主張について，引用例２には本願明細書において配列が未公知とされている血清型１，８，１１，１９，３７のヘキソン遺伝子の部分配列が開示されているので，（ｉ）については解決しており，（ｉｉ）については３（２）において記載したように周知技術を適用して通常行い得たことである。また，ヘキソン遺伝子は「長大」といっても３０００塩基程度の長さであり，コンピューターを用いて保存領域を解析するのに格別な困難性があるものでもない。
　そして，当審における審尋において，（ｉｉｉ）及び（ｉｖ）について，「多くの血清型のゲノムを検出するためには保存領域内にプライマーを設計することは当業者が通常想到し得たことであり，本願明細書をみても，本願発明のプライマーセットを選択するにあたり，具体的にどのような膨大実験と試行錯誤を行ったか記載されておらず，本願のプライマーセットの位置以外の保存領域において増幅曲線の傾きが血清型による配列の違いにより異なったことも示されていないので・・・，多数存在する保存領域の中から本願発明の特定のプライマーセットを選択することが困難であったこと，及び，他の保存領域からのプライマーセットと比較して本願のプライマーセットが格別顕著な効果を奏することが確認できない。本願発明のプライマーセットを見出すためにテストし，増幅曲線の傾きが同じにならなかったプライマーセットが記載された，実験ノートなどを示して，多大な試行錯誤が必要であったこと，及び，本願のプライマーセットが他の保存領域からのプライマーセットと比較して格別顕著な効果を有することを示されたい。」と通知したところ，平成２４年２月２０日付で提出された回答書において，「実験ノートは現存していないので，それに代わるものとして，本願の出願前に社内で本願発明について検討した「社内検討レポート」（参考資料１）を提出する。社内検討レポートの第１７頁から第１８頁に跨がる段落には，次のように記載されている。「・・・」以上のように，公知の知見からは，各血清型間で同一の増幅曲線を描くプライマーと検出プローブを設定することはできなかったのであり，これまでに報告のなかった，ヒトアデノウイルス１，８，１１，１９，３７型に関しダイレクトシークエンスを行い，塩基配列を決定し，登録されている血清型の塩基配列とともにホモロジー検索を行った結果，相同性の高い部分を初めて見つけ出し，そこにプライマーを設定したものである。」と主張している。また，同回答書において「（１）本願実施例のフォワードプライマーの位置（２１６１３−２１６２９ｎｔ）の前後領域にも保存された配列があるが，プライマー自体に自己相補的な配列を含まないよう設計し，且つプライマーの融解温度（Ｔｍ）を６２℃に設定するためには，試行錯誤で本願実施例のフォワードプライマーの位置（２１６１３−２１６２９ｎｔ）にし，プライマー長を１７塩基とした，（２）リアルタイムＰＣＲで最も効率のよい増幅長である９０〜１００ｂｐから逆算してリバースプライマー位置を検索し，フォワードプライマーと同程度のＴｍで，且つプライマーダイマーを形成しない配列とするためにリバースプライマーを２１６８９〜２１７０８ｎｔとした，という苦労がある。そして，これらのプライマーにより，代表的な各種血清型のヒトアデノウイルスについて事前にアデノウイルスの型判別をすることなく，検体中のウイルス量を定量（感染力等を測定）することができるという顕著な効果を奏するものである。」と主張している。
　しかし，同回答書及び平成２４年２月２３日付手続補足書の参考資料１をみても，他の保存領域をプライマーとして選択した場合には各血清型においてＰＣＲの増幅曲線の傾きが異なるのに対し，本願発明１の特定のプライマーのみが増幅曲線の傾きを同一にできたことを示す実験データ等はなく，本願発明１の特定のプライマーを選択することの困難性が確認できない。そして，プライマーの位置や長さを決定する際に，上記の種々の工夫を行うことも，ＰＣＲに用いるプライマーセットを選択する場合に当業者が通常行う創意工夫の範囲である。
　（６）の主張についても同様のことがいえ，各血清型において高度に保存された領域を選択すれば，各血清型においてＰＣＲを行う際にプライマーが標的に同様の効率でハイブリダイズし，増幅曲線の傾きが同じようになることは技術的に予想できることであり，請求人は，高度に保存された領域であっても本願発明１において用いた配列とは異なる配列をプライマーとした場合に血清型によって増幅曲線の傾きが違うものとなる等，ハイブリダイズの効率と増幅曲線の傾きとが無関係であることの根拠を示していないので，請求人の主張は採用できない。　
　
　以上のとおりであるから，請求人の主張はいずれも採用することができない。
　
５．むすび
　
　以上のとおりであるから，本願請求項１に係る発明は，特許法第２９条第２項の規定により，特許を受けることができないものであるから，他の請求項に係る発明について検討するまでもなく，本願は拒絶すべきものである。
　
　よって，結論のとおり審決する。